(57)【要約】本発明は、無線端末が、ネットワークが指定する測定情報を、アイドル状態の間に取得し、アクティブ状態の間に当該取得した測定情報を報告する無線通信システムであって、第１の無線アクセス技術の第１のセルを運用する無線局は、第１のセルにおいて、前記無線端末に、前記第１のセルにおける前記測定情報の取得に関する第１の設定情報を通知する通知手段と、前記第１の無線アクセス技術とは異なる第２の無線アクセス技術の第２のセルに移動後に前記第２のセルにおける前記測定情報の取得を行うように、前記無線端末に要求する要求手段と、を有する無線通信システムである。
2013047833.tif 000002
【特許請求の範囲】
【請求項１】
無線端末が、ネットワークが指定する測定情報を、アイドル状態の間に取得し、アクティブ状態の間に当該取得した測定情報を報告する無線通信システムであって、
第１の無線アクセス技術の第１のセルを運用する無線局は、第１のセルにおいて、
前記無線端末に、前記第１のセルにおける前記測定情報の取得に関する第１の設定情報を通知する通知手段と、
前記第１の無線アクセス技術とは異なる第２の無線アクセス技術の第２のセルに移動後に前記第２のセルにおける前記測定情報の取得を行うように、前記無線端末に要求する要求手段と、
を有する無線通信システム。
【請求項２】
前記無線端末が、前記第１のセルから前記第２のセルに移動後、当該第２のセルにおいて前記測定情報の取得を行う
請求項１に記載の無線通信システム。
【請求項３】
前記無線端末が、
前記第１のセル及び前記第２のセルのそれぞれにおける前記測定情報の取得対象となる第１の測定項目及び第２の測定項目の情報を予め保有し、
前記第１のセルから第２のセルへ移動後に、前記第１の測定項目から前記第２の測定項目へと取得の対象を切り替える請求項２に記載の無線通信システム。
【請求項４】
前記無線端末が、
前記第２のセルに移動後、前記第１の設定情報の少なくとも一部を再利用して、前記第２のセルにおける第２の測定情報の取得を行う
前記第２のセルにおける前記測定情報の取得を行う
請求項２又は請求項３に記載の無線通信システム。
【請求項５】
前記第１の設定情報が、
前記測定情報の記録開始の基準となる絶対時刻、
前記測定情報の記録期間、
前記測定情報の記録周期、
前記測定情報の記録対象エリア、
トレース関連情報、
の少なくともいずれかを含む請求項１から請求項４のいずれかに記載の無線通信システム。
【請求項６】
前記無線端末が、
前記絶対時刻、前記記録期間、前記記録周期、前記トレース関連情報、の少なくともいずれかを引き継ぐ
請求項５に記載の無線通信システム。
【請求項７】
前記無線端末が、
前記記録期間、前記記録周期、の少なくとも一方をタイマで計測し、
前記記録期間を計測するタイマ値、前記記録周期を計測するタイマ値、の少なくとも一方を継続する、
請求項６に記載の無線通信システム。
【請求項８】
前記無線局が、前記無線端末に、前記第２のセルにおける前記測定情報の取得に関する第２の設定情報を通知し、
前記無線端末が、前記第２のセルにおいて前記第２の設定情報を基に前記測定情報を取得する
請求項１から請求項７のいずれかに記載の無線通信システム。
【請求項９】
前記無線端末が、前記第１のセルにおいて取得した第１の測定情報と、前記第２のセルにおいて取得した第２の測定情報とを区別する
請求項１から請求項８のいずれかに記載の無線通信システム。
【請求項１０】
前記無線端末が、前記第１の測定情報または前記第２の測定情報の報告時に、測定情報を取得したセルに対応する無線アクセス技術を示す情報を付加する
ことを特徴とする請求項９に記載の無線通信システム。
【請求項１１】
前記無線端末が、前記第２の測定情報の取得開始時に前記第２の無線アクセス技術を示す情報を付加することを特徴とする請求項９又は請求項１０に記載の無線通信システム。
【請求項１２】
前記無線端末が、前記第２のセルから前記第１のセルに移動後に、前記第１の測定情報の取得を行う
請求項１から請求項１１のいずれかに記載の無線通信システム。
【請求項１３】
ネットワークが指定する測定情報を、アイドル状態の間に取得し、アクティブ状態の間に当該取得した測定情報を報告する無線端末であって、
第１の無線アクセス技術の第１のセルを運用する無線局から、前記第１のセルにおける前記測定情報の取得に関する第１の設定情報を受信し、
前記無線局から、前記第１の無線アクセス技術とは異なる第２の無線アクセス技術の第２のセルに移動後に前記測定情報の取得を行う要求を受ける手段と、
前記要求に基づいて、前記測定情報を取得する測定情報取得手段と
を有する無線端末。
【請求項１４】
前記測定情報取得手段は、前記第１のセルから前記第２のセルに移動後、当該第２のセルにおいて前記測定情報の取得を行う
請求項１３に記載の無線端末。
【請求項１５】
前記測定情報取得手段は、
前記第１のセル及び前記第２のセルのそれぞれにおける前記測定情報の取得対象となる第１の測定項目及び第２の測定項目の情報を予め保有し、
前記第１のセルから第２のセルへ移動後に、前記第１の測定項目から前記第２の測定項目へと取得の対象を切り替える
請求項１４に記載の無線端末。
【請求項１６】
前記測定情報取得手段は、
前記第２のセルに移動後、前記第１の設定情報の少なくとも一部を再利用して、前記第２のセルにおける第２の測定情報の取得を行う
請求項１４又は請求項１５に記載の無線端末。
【請求項１７】
前記第１の設定情報が、
前記測定情報の記録開始の基準となる絶対時刻、
前記測定情報の記録期間、
前記測定情報の記録周期、
前記測定情報の記録対象エリア、
トレース関連情報、
の少なくともいずれかを含む
請求項１３から請求項１６のいずれかに記載の無線端末。
【請求項１８】
前記測定情報取得手段は、
前記絶対時刻、前記記録期間、前記記録周期、前記トレース関連情報、の少なくともいずれかを引き継ぐ
請求項１７に記載の無線端末。
【請求項１９】
前記測定情報取得手段は、
前記記録期間、前記記録周期、の少なくとも一方をタイマで計測し、
前記記録期間を計測するタイマ値、前記記録周期を計測するタイマ値、の少なくとも一方を継続する、
請求項１８に記載の無線端末。
【請求項２０】
前記測定情報取得手段は、
前記無線局から通知された、前記第２のセルにおける前記測定情報の取得に関する第２の設定情報に基づいて、前記第２のセルにおいて前記測定情報を取得する
請求項１３から請求項１９のいずれかに記載の無線端末。
【請求項２１】
前記測定情報取得手段は、
前記第１のセルにおいて取得した第１の測定情報と、前記第２のセルにおいて取得した第２の測定情報とを区別する
請求項１３から請求項２０のいずれかに記載の無線端末。
【請求項２２】
前記測定情報取得手段は、
前記第１の測定情報または前記第２の測定情報の報告時に、取得した測定情報に対応する無線アクセス技術を示す情報を付加する
ことを特徴とする請求項２１に記載の無線端末。
【請求項２３】
前記測定情報取得手段は、
前記第２の測定情報の取得開始時に前記第２の無線アクセス技術を示す情報を付加することを特徴とする請求項２１又は請求項２２に記載の無線端末。
【請求項２４】
前記測定情報取得手段は、
前記第２のセルから前記第１のセルに移動後に、前記第１の測定情報の取得を行う
請求項１３から請求項２３に記載の無線端末。
【請求項２５】
無線端末が、ネットワークが指定する測定情報を、アイドル状態の間に取得し、アクティブ状態の間に当該取得した測定情報を報告する無線通信システムにおける無線局であって、
前記無線局は、第１の無線アクセス技術の第１のセルを運用する無線局であり、
前記第１のセルに滞在中の前記無線端末に、前記第１のセルにおける前記測定情報の取得に関する第１の設定情報を通知する通知手段と、
前記第１の無線アクセス技術とは異なる第２の無線アクセス技術の第２のセルに移動後に前記第２のセルにおける前記測定情報の取得を行うように、前記第１のセルに滞在中の前記無線端末に要求する要求手段と
を有する無線局。
【請求項２６】
前記第１の設定情報が、
前記測定情報の記録開始の基準となる絶対時刻、
前記測定情報の記録期間、
前記測定情報の記録周期、
前記測定情報の記録対象エリア、
トレース関連情報、
の少なくともいずれかを含む
請求項２５に記載の無線局。
【請求項２７】
前記通知手段は、前記第２のセルにおける前記測定情報の取得に関する第２の設定情報を、前記無線端末に通知する
請求項２５又は請求項２６に記載の無線局。
【請求項２８】
無線端末に、アイドル状態の間に測定情報を取得させ、アクティブ状態の間に当該取得した測定情報を報告させるネットワーク装置であって、
前記無線端末が滞在する第１の無線アクセス技術の第１のセルを運用する無線局に、前記無線端末による前記第１のセルにおける前記測定情報の取得に関する第１の設定情報を通知する通知手段と、
前記無線端末に前記第１の無線アクセス技術とは異なる第２の無線アクセス技術の第２のセルに移動後に前記第２のセルにおける前記測定情報の取得を行わせるように、前記無線局に対して指示する指示手段と、
を有するネットワーク装置。
【請求項２９】
無線端末が、ネットワークが指定する測定情報を、アイドル状態の間に取得し、アクティブ状態の間に当該取得した測定情報を報告する情報収集方法であって、
第１の無線アクセス技術の第１のセルに滞在中の前記無線端末に、前記第１のセルにおける前記測定情報の取得に関する第１の設定情報を通知し、
前記第１の無線アクセス技術とは異なる第２の無線アクセス技術の第２のセルに移動後に前記第２のセルにおける前記測定情報の取得を行うように、前記第１のセルに滞在中の前記無線端末に要求する
情報収集方法。
【請求項３０】
無線端末が、ネットワークが指定する測定情報を、アイドル状態の間に取得し、アクティブ状態の間に当該取得した測定情報を報告する情報収集方法であって、
第１の無線アクセス技術の第１のセルを運用する無線局から、前記第１のセルにおける前記測定情報の取得に関する第１の設定情報を受信し、
前記無線局から、前記第１の無線アクセス技術とは異なる第２の無線アクセス技術の第２のセルに移動後に前記測定情報の取得を行う要求を受け、
前記要求に基づいて、前記測定情報を取得する
情報収集方法。
【発明の詳細な説明】
【技術分野】
【０００１】
本発明は、無線通信システム、無線端末、無線局、ネットワーク装置、及び情報収集方法に関する。
【背景技術】
【０００２】
３ＧＰＰ（3rd Generation Partnership Project）では、オペレータによる走行試験(Drive-Test)にかかるオペレーションコスト（OPEX）を削減するため、走行試験で収集していた情報又はそれに類似した情報を無線端末に測定・報告させることが検討されている（非特許文献１）。この検討の最終目的は走行試験の実行を最小化することであり、これに関連する技術は総称してＭＤＴ(Minimization of Drive Test)と呼ばれている。ＭＤＴは、３ＧＰＰで規定されるセルラシステムであるＵＭＴＳ(Universal Mobile Telecommunication System)およびＬＴＥ(Long Term Evolution)の両方を適用対象としている。尚、ここで言う「測定」には、ある状況を「検出」する動作も含む。【０００３】
ＭＤＴでは、無線端末による測定情報の取得（つまり、測定及び、当該測定結果の記録）・報告方法について、以下の２つの方式が規定されている（非特許文献１）。
１．即時ＭＤＴ(Immediate MDT): 無線端末がアクティブ状態の間に測定情報の取得および報告をさせる方式。
２．ログＭＤＴ(Logged MDT): 無線端末がアイドル状態の間に測定情報の取得をさせ、取得した測定情報をアクティブ状態の間に報告させる方式。【０００４】
また、ＭＤＴの検討では、ネットワーク側で、どの無線端末に測定情報を取得・報告させるかを決定する事、つまりネットワーク主導の無線端末による測定情報取得・報告の制御を基本方針とし、非特許文献２では以下２つの方式が規定されている。
Ａ．マネジメントベース方式(Management based MDT): まずＭＤＴの測定情報の収集の対象となるエリアを指定し、当該エリアに滞在する無線端末から任意に選択する方式。エリアベース方式（Area based MDT）とも呼ばれる。
Ｂ．シグナリングベース方式(Signaling based MDT): 特定の無線端末を当該無線端末の個別識別子ＩＤ(Identity)を基に選択する方式。【０００５】
次に、図１を参照して、３ＧＰＰで検討されているＬＴＥにおけるマネジメントベース方式を用いた、ログMDTについて簡単に説明する。図１に示すように、ここで想定するＬＴＥのシステムは、無線端末ＵＥ（User Equipment）、無線基地局ｅＮＢ(evolved NodeB)、無線端末の移動管理装置ＭＭＥ(Mobility Management Entity)／ホーム加入者管理サーバＨＳＳ(Home Subscriber Server)などを含むネットワーク装置EPC（Evolved Packet Core）、ネットワーク運用管理装置ＥＭ(Element Manager)（EMS: Element Management Systemとも呼ぶ）、及びトレース情報収集装置ＴＣＥ(Trace Collection Entity)から構成される。そして、図１においてマネジメントベース方式を用いたログMDTは、以下のステップにより実行される。尚、図１において、ＵＥは、ＲＲＣ（Radio Resource Control）＿Ｃｏｎｎｅｃｔｅｄ状態（アクティブモード）であるものとする。【０００６】
ステップＳ１００１：ＵＥは、無線アクセスに関する端末能力情報（UE Capability Information）を接続中のｅＮＢに通知する。このとき、ログＭＤＴの機能をサポートしていること(logged Measurements Idle)も一緒に通知する。【０００７】
ステップＳ１００２：ＥＭ（Ｓ）は、マネジメントベースのログMDTを実行するようにｅＮＢに要求（Trace Activation Request）を行う。当該指示には、ログＭＤＴを実行する為に必要な設定情報も含まれる。【０００８】
ステップＳ１００３：ｅＮＢは、ＥＭ（Ｓ）からの要求と、ＵＥの端末能力情報を基にログＭＤＴを実行させるＵＥを選択する（UE selection）。尚、図示していないが、ｅＮＢは事前に当該ＵＥの詳細位置情報（例えばＧＰＳ位置情報）の報告に関する同意情報（user consent）をＥＰＣ（に含まれるＭＭＥ）から取得しておく。詳細位置情報の報告が必要な場合には、同意している（consent）ＵＥを選択し、必要でない場合には同意していない（unconsent）ＵＥを選択しても良い。【０００９】
ステップＳ１００４：ｅＮＢは、当該ＵＥに対し、ログＭＤＴの実行に必要な設定情報を通知する（Logged Measurement Configuration）。尚、この通知が、ログＭＤＴの実行の指示にもなる。【００１０】
ステップＳ１００５：ｅＮＢは、当該ＵＥをＲＲＣ＿Ｉｄｌｅ状態（アイドルモード）に遷移させる（RRC Connection Release）。【００１１】
ステップＳ１００６：ＵＥは、ＲＲＣ＿Ｉｄｌｅ状態へと遷移する（RRC Connection Release）。【００１２】
ステップＳ１００７：ＵＥは、所定タイミングで自セル（serving cell）や隣接セル（neighbouring cell）の信号に対する測定（Measurement）を行う。ここで、測定項目としては、既知信号（Reference Signal: RS）の受信電力（Reference Signal Received Power: RSRP）や受信品質（Reference Signal Received Quality: RSRQ）が考えられる。尚、当該測定は、ログＭＤＴの為の付加的なものではなく、セル再選択などの為に行われるものである。【００１３】
ステップＳ１００８：ＵＥは、ログＭＤＴの設定情報で指定される記録タイミングで測定結果（RSRPやRSRQ）などを記録（log）する。尚、本明細書では特に断りが無い限り、簡単の為、ステップＳ１００７とＳ１００８の動作を合わせて（或は、少なくともこれら２つの動作を含むものを）単に「測定結果の記録（Log measurement results）」と呼ぶ。【００１４】
ステップＳ１００９：ＵＥは、所定のトリガに応じてＲＲＣ＿Ｃｏｎｎｅｃｔｅｄ状態になる為、ＲＲＣ接続要求（RRC Connection Request）を行う。【００１５】
ステップＳ１０１０：ｅＮＢは、ＲＲＣ接続要求を受け入れ、必要な情報を通知する（RRC Connection Setup）。【００１６】
ステップＳ１０１１：ＵＥは、ＲＲＣ接続確立の確認メッセージを送信する（RRC Connection Setup Complete）。ステップＳ１００９〜Ｓ１０１１までの一連の動作により、ＲＲＣ接続が確立される（RRC Connection Establishment）。ここで、ログＭＤＴで測定結果の記録（ログ）を保有しているＵＥは、当該ログを保有していることを示す情報（logMeasAvailable）を付加してメッセージを送信する。【００１７】
ステップＳ１０１２：ｅＮＢは、ログを保有していることを通知された場合、ログ報告の要求を行う（UE Information Request (logMeasReportReq)）。【００１８】
ステップＳ１０１３：ＵＥは、ログ報告の要求に応じて、ログを報告する（UE Information Response (LogMeasReport)）。【００１９】
ステップＳ１０１４：ｅＮＢは、報告されたログを、ＴＣＥへ転送する（Trace Recording Report）。
以上の動作により、マネジメントベース方式のログＭＤＴが実現される。【００２０】
尚、ログＭＤＴでは、ＵＥが、ログＭＤＴの設定情報を受信した（すなわち、ログＭＤＴの実行を要求された）セルから、別のセルに移動した場合でも、移動先のセルが所定条件を満たす場合には継続される。ここで言う所定条件とは、ログＭＤＴの設定情報を受信したセルと同じ無線アクセス技術（Radio Access Technology: RAT）のセルである、ログＭＤＴの設定情報を受信したセルと同じＰＬＭＮ  Ｉd（Public Land Mobile Network Identity）に属するセルである、設定情報で指定されたグローバルセルＩd（EUTRAN Cell Global Identifier: ECGI）やトラッキングエリア（Tracking Area: TA）に属するセルである、などがある。【００２１】
一方、移動先のセルがこれら所定条件を満たさない場合、例えば図２に示すように異なるＲＡＴ、つまり異種システムのセルに移動した場合（Ｓ１１０５： Cell reselection to UMTS cell）、ＵＥはログＭＤＴを中断する（Ｓ１１０６： Stop logging measurement results）。このとき、当該セルにおいて位置登録の更新などの為（Ｓ１１１０： Location Update）にＲＲＣ＿Ｃｏｎｎｅｃｔｅｄ状態になったとしても（Ｓ１１０９： RRC Connection Setup Complete）、ログ報告は行わない。一方、再び所定条件を満たすセルに移動した場合、ＵＥはログＭＤＴを再開する。尚、所定条件を満たさないセルに移動後、当該セルにおいてログＭＤＴの設定情報を新たに受信した（つまり、ログＭＤＴの実行を要求された）場合、保持していたログＭＤＴの設定情報やログは上書き（或は、破棄）される。
【先行技術文献】
【非特許文献】
【００２２】
【非特許文献１】3GPP TS37.320v10.0.0 (<URL> http:www.3gpp.org/ftp/Specs/html-info/37320.htm)
【非特許文献２】3GPP TS32.422v10.4.0 (<URL> http:www.3gpp.org/ftp/Specs/html-info/32422.htm)
【非特許文献３】NTT DOCOMOテクニカル・ジャーナルVol.17 No.3（<URL> http://www.nttdocomo.co.jp/binary/pdf/corporate/technology/rd/technical_journal/bn/vol17_3/vol17_3_006jp.pdf）
【発明の概要】
【発明が解決しようとする課題】
【００２３】
以下に本発明による関連技術の分析を与える。【００２４】
上述したログＭＤＴにおいて、あるＵＥがＲＡＴ−ＡのセルにおいてログＭＤＴの設定情報を受信し（つまり、ログＭＤＴの実行を要求され）、ＲＡＴ−Ａのセルにおいてログを取得した後、異なるＲＡＴ−Ｂのセルに移動する場合を考える。【００２５】
当該ＵＥは、ＲＡＴ−Ｂのセルに移動すると、位置登録を行う為にＲＲＣ＿Ｃｏｎｎｅｃｔｅｄ状態（アクティブモード）になり、ログＭＤＴを中断する。このとき、当該ＵＥにＲＡＴ−Ｂのセルに移動した直後（例えば、位置登録手順終了後）から、継続してログＭＤＴで測定情報を取得させるために、ＲＡＴ−ＢにおけるログＭＤＴの設定情報をＵＥに新たに通知することが考えられる。しかし、これを実現するには、新たにログＭＤＴの設定情報を通知する事になり、ＲＡＴ−Ａのセルにおいて受信した設定情報や取得したログは上書き（或は、破棄）されてしまう。さらに、ＲＲＣ＿Ｉｄｌｅ状態（アイドルモード）のＵＥが、ＬＴＥとＵＭＴＳの異種ＲＡＴ間でセルの移動（すなわち、異種ＲＡＴ間セル再選択：Inter-RAT Cell Reselection）を行う際、ＬＴＥ及びＵＭＴＳで以前に登録した位置登録エリアから変更が無い限り、位置登録手順を省略することができる機能であるＩＳＲ（Idle mode Signaling Reduction（非特許文献３））を適用した場合、ＲＡＴ−Ｂのセルに移動した直後からのログＭＤＴによる測定情報の取得も行うことができない。【００２６】
例えば、ＲＲＣ＿Ｉｄｌｅ状態（アイドルモード）のＵＥがＲＡＴ−ＡからＲＡＴ−Ｂに移動すると、ＲＡＴ−Ｂの測定情報の取得は中断される。ここで、ＩＳＲが適用される状況にあり、ＲＡＴ−ＡからＲＡＴ−Ｂへの移動に際して位置登録エリアの変更が必要ない場合、ＲＲＣ＿Ｃｏｎｎｅｃｔｅｄ状態（アクティブモード）にはならない。ＩＳＲによって位置登録手順が省略されると、当該位置登録手順を介して通知される新たな設定情報を受信することもなく、ＵＥは測定情報の取得を中断させたままの状態となり、ＲＡＴ−Ｂの測定情報を継続して取得させることはできなかった。このように、ログＭＤＴでは、異種ＲＡＴ間セル再選択時に、セル再選択後も測定情報を継続的に取得することができない。しかし、走行試験において、ＵＥが異なるＲＡＴ間を移動する地点の情報（例えば、受信品質など）は、異なるＲＡＴを考慮したセルのカバレッジ最適化などに重要な測定情報であり、ログＭＤＴでもＵＥが異種ＲＡＴ間セル再選択を行う際に継続的に測定情報を取得する機能は必要と考えられる。【００２７】
従って、解決すべき課題は、無線端末が異なるＲＡＴのセル間を移動する場合に、継続的な測定情報の取得を実現することである。
【課題を解決するための手段】
【００２８】
本発明は、無線端末が、ネットワークが指定する測定情報を、アイドル状態の間に取得し、アクティブ状態の間に当該取得した測定情報を報告する無線通信システムであって、第１の無線アクセス技術の第１のセルを運用する無線局は、前記第１のセルに滞在中の前記無線端末に、前記第１のセルにおける前記測定情報の取得に関する第１の設定情報を通知する通知手段と、前記第１の無線アクセス技術とは異なる第２の無線アクセス技術の第２のセルに移動後に前記第２のセルにおける前記測定情報の取得を行うように、前記第１のセルに滞在中の前記無線端末に要求する要求手段と、を有する無線通信システムである。【００２９】
本発明は、ネットワークが指定する測定情報を、アイドル状態の間に取得し、アクティブ状態の間に当該取得した測定情報を報告する無線端末であって、第１の無線アクセス技術の第１のセルを運用する無線局から、前記第１のセルにおける前記測定情報の取得に関する第１の設定情報を受信し、前記無線局から、前記第１の無線アクセス技術とは異なる第２の無線アクセス技術の第２のセルに移動後に前記測定情報の取得を行う要求を受ける手段と、前記要求に基づいて、前記測定情報を取得する測定情報取得手段とを有する無線端末である。【００３０】
本発明は、無線端末が、ネットワークが指定する測定情報を、アイドル状態の間に取得し、アクティブ状態の間に当該取得した測定情報を報告する無線通信システムにおける無線局であって、前記無線局は、第１の無線アクセス技術の第１のセルを運用する無線局であり、前記第１のセルに滞在中の前記無線端末に、前記第１のセルにおける前記測定情報の取得に関する第１の設定情報を通知する通知手段と、前記第１の無線アクセス技術とは異なる第２の無線アクセス技術の第２のセルに移動後に前記第２のセルにおける前記測定情報の取得を行うように、前記第１のセルに滞在中の前記無線端末に要求する要求手段とを有する無線局である。【００３１】
本発明は、無線端末に、アイドル状態の間に測定情報を取得させ、アクティブ状態の間に当該取得した測定情報を報告させるネットワーク装置であって、前記無線端末が滞在する第１の無線アクセス技術の第１のセルを運用する無線局に、前記無線端末による前記第１のセルにおける前記測定情報の取得に関する第１の設定情報を通知する通知手段と、前記無線端末に前記第１の無線アクセス技術とは異なる第２の無線アクセス技術の第２のセルに移動後に前記第２のセルにおける前記測定情報の取得を行わせるように、前記無線局に対して指示する指示手段と、を有するネットワーク装置である。【００３２】
本発明は、無線端末が、ネットワークが指定する測定情報を、アイドル状態の間に取得し、アクティブ状態の間に当該取得した測定情報を報告する情報収集方法であって、第１の無線アクセス技術の第１のセルに滞在中の前記無線端末に、前記第１のセルにおける前記測定情報の取得に関する第１の設定情報を通知し、前記第１の無線アクセス技術とは異なる第２の無線アクセス技術の第２のセルに移動後に前記第２のセルにおける前記測定情報の取得を行うように、前記第１のセルに滞在中の前記無線端末に要求する情報収集方法である。【００３３】
本発明は、無線端末が、ネットワークが指定する測定情報を、アイドル状態の間に取得し、アクティブ状態の間に当該取得した測定情報を報告する情報収集方法であって、第１の無線アクセス技術の第１のセルを運用する無線局から、前記第１のセルにおける前記測定情報の取得に関する第１の設定情報を受信し、前記無線局から、前記第１の無線アクセス技術とは異なる第２の無線アクセス技術の第２のセルに移動後に前記測定情報の取得を行う要求を受け、前記要求に基づいて、前記測定情報を取得する情報収集方法である。
【発明の効果】
【００３４】
本発明によれば、異種ＲＡＴ間セル再選択を行う場合でも、継続的な測定情報の取得を実現することができる。
【図面の簡単な説明】
【００３５】
【図１】図１は本発明に関連するログＭＤＴの無線ネットワーク及び無線端末の動作を示すシーケンス図である。
【図２】図２は本発明に関連するログＭＤＴの無線ネットワーク及び無線端末の動作を示す別のシーケンス図である。
【図３】図３は本発明の第１の実施形態の無線通信システムの構成を示す図である。
【図４】図４は本発明の無線局のブロック図である。
【図５】図５は本発明の無線端末のブロック図である。
【図６】図６は本発明の第１の実施例の無線局及び無線端末の動作を示すシーケンス図である。
【図７】図７は本発明の第２の実施例の無線局及び無線端末の動作を示すシーケンス図である。
【図８】図８は本発明の第２の実施形態の無線通信システムの構成を示す図である。
【図９】図９はＬＴＥのセルで報告する場合のフォーマットの一例を示した図である。
【図１０】図１０は本発明の第３の実施例の無線局及び無線端末の動作を示すシーケンス図である。
【図１１】図１１は本発明の第３の実施例の無線端末の動作を示すフローチャートである。
【図１２】図１２は本発明の第３の実施例の変形例の無線局及び無線端末の動作を示すシーケンス図である。
【図１３】図１３は本発明の第４の実施例の無線局及び無線端末の動作を示すシーケンス図である。
【図１４】図１４は本発明の第５の実施例の無線ネットワーク及び無線端末の動作を示すシーケンス図である。
【図１５】図１５は本発明の第５の実施例の変形例の無線ネットワーク及び無線端末の動作を示すシーケンス図である。
【図１６】図１６は本発明の第６の実施例の無線ネットワーク及び無線端末の動作を示すシーケンス図である。
【発明を実施するための形態】
【００３６】
＜発明の原理＞
本発明の基本原理は、第１の無線アクセス技術（Radio Access Technology: RAT）の第１のセルを運用する無線局が、第１のセルにおいて、無線端末に、アイドル状態（アイドルモード、非通信状態、或は、非接続状態とも呼ぶ）の間の第１のセルにおける測定情報（第１の測定情報）の取得（つまり、測定、及び測定結果の記録）に関する第１の設定情報を通知し、さらに、第２の無線アクセス技術の第２のセルに移動後、アイドル状態の間に測定情報（第２の測定情報）の取得を行うよう要求することである。尚、本発明の理解を容易にするため、以下の説明において、無線局を第１の無線局と記載する。
【００３７】
当該要求を受けた無線端末は、第１のセルから第２のセルに移動した場合、アイドル状態の間に第２のセルにおいて第２の測定情報の取得を行う。さらに、第２のセルから再び第１のセルに移動した後に、アイドル状態の間に再び第１のセルにおいて第１の測定情報の取得を行うようにしても良い。
【００３８】
尚、無線端末による第２のセルにおける第２の測定情報の取得は、当該無線端末が自律的に開始するようにしても良いし、第２の無線局から所定の信号（或は、情報）を受信した時点から開始するようにしても良い。後者の場合は、例えば報知情報で当該第２のセルに無線端末自身が滞在することが可能であること、或は、当該第２のセルが測定情報の取得の対象となっていることを検知した時点から開始することが考えられる。
【００３９】
同様に、無線端末による第２のセルから再び第１のセルに移動した後の第１のセルにおける第１の測定情報の取得も、当該無線端末が自律的に開始するようにしても良いし、第１の無線局から所定の信号（或は、情報）を受信した時点から開始するようにしても良い。
【００４０】
また、ここで言う移動とは、無線端末が物理的に自身の位置を移動するか否かによらず、第１（又は、第２）のセルから第２（又は、第１）のセルへと滞在するセルを変更することを意味する。さらに、第１の測定情報と第２の測定情報に含まれる情報の要素（つまり、測定項目）は同じであっても良いし、一部、或は、全て異なっても良い。
【００４１】
一方、測定情報の報告は、無線端末がアクティブ状態（アクティブモード、通信状態、或は、接続状態とも呼ぶ）の間に行う。本発明では、第２のセルにおいて第１のセル及び第２のセルにおいて取得した第１の測定情報及び第２の測定情報を報告するようにしても良いし、測定情報を取得したセルと同種のセルにおいて当該測定情報を報告するようにしても良いし、測定情報の取得の指示を受けた第１のセルおいて第１及び第２の測定情報を報告するようにしても良い。
【００４２】
ここで、測定情報の項目としては、例えば以下のものが考えられる。
【００４３】
・滞在セル及び隣接セルの既知信号の受信電力
・滞在セル及び隣接セルの既知信号の受信品質
・共通制御信号の受信失敗情報
・アクセス信号の送信失敗情報
・無線リンク失敗情報
・位置情報
尚、滞在セルは、サービングセル（Serving cell）又はキャンピングセル（Camping cell）とも呼ばれ、既知信号は、パイロット信号やリファレンス信号とも呼ばれる。また、受信品質としては、希望波（或は、希望信号）の信号電力対干渉信号電力比（Signal power to Interference power Ratio: SIR）や、信号電力対干渉及び雑音電力比（Signal power to Interference and Noise power Ratio: SINR）などがあるが、これに限定されない。また、共通制御信号の受信失敗情報は、報知されるシステム情報や、ページング情報の受信失敗に関する情報で、アクセス信号の失敗情報は、無線端末が無線局との無線リンク確立の為などに使用するランダムアクセス信号などの送信に失敗した情報に相当する。無線リンク失敗情報は、無線端末が無線局との間で確立していた無線リンクが意図せず切断された（つまり、無線リンクが保てない状態になった）ことに関する情報であり、この状況を一般にＲＬＦ（Radio Link Failure）と呼ぶ。さらに、位置情報は、無線端末が当該測定情報の記録を行う時点で保有している無線端末自身の滞在場所に関する情報で、例えばＧＰＳ（Global Positioning System）に代表されるＧＮＳＳ（Global Navigation Satellite System）で取得した位置情報や、無線基地局等の複数の無線局からの信号の受信タイミングの差で位置を特定するＯＴＤＯＡ（Observation Time Difference Of Arrival）方式で算出した位置情報などが考えられる。
【００４４】
また、設定情報としては、例えば以下のものが考えられる。
【００４５】
・測定情報の記録開始の基準となる絶対時刻
・測定情報の記録期間
・測定情報の記録周期
・測定情報の記録対象エリア
・トレース関連情報
尚、測定項目情報は、上述の測定情報の項目を示す情報である。記録期間及び記録周期は、測定結果を記録すべき期間及び測定結果を記録する周期である。
【００４６】
一方、第１の無線局による、無線端末が第１のセルから第２のセルに移動した後に測定情報の取得を行う要求としては、例えば以下の３つの方法が考えられる。
【００４７】
・第２のセルにおける測定情報の取得のみを要求する方法
・第２のセルにおいて第１のセルにおいて取得した測定情報の報告と測定情報の取得及び報告を要求する方法
・第２のセルにおける測定情報の取得、及び第２のセルにおいて取得した測定情報の報告を要求する方法
当該要求を行う方法としては、例えば以下の２つの手段が考えられる。
【００４８】
a)  上記いずれかの方法により第２のセルにおける測定情報の取得を指示する情報（例えば、フラグなど）のみを通知する
b)  第２のセルにおける第２の設定情報を通知する
なお、第２の設定情報を、第１のセルにおける第１の設定情報と併せて通知してもよい。
【００４９】
また、第２の設定情報は、第１の設定情報と同様の項目（又は、情報）を含んでいても良いし、第１の設定情報に含まれる項目（又は、情報）のうちの一部のみに対応する部分的なものでも良い。尚、第２の設定情報が無い場合、或は、第１の設定情報に比べ情報量が不足している（例えば、第１の設定情報の部分的なものである）場合、無線端末は、第２の設定情報で不足している（例えば、第１の設定情報に比べ不足している）部分については、第１の設定情報のものを再利用する。ここで言う再利用とは、
・設定値等をそのまま引き継ぐ（又は、使用する）こと、
・タイマやカウンタ等の値を継続すること、
・測定項目情報等を第１のＲＡＴのものから第２のＲＡＴのものへと読み替える（又は、変換する）こと、
などの処理を指すことが考えられるが、これらに限定はされない。
【００５０】
さらに、無線端末が、測定情報の取得に関する情報の一部、例えば対象となる測定情報の項目（つまり、測定項目）などを予め保有している（或は、仕様で規定されている）場合においては、無線アクセス技術（ＲＡＴ）を切り替える際に、これらの情報を対応するＲＡＴのものへと切り替えることも考えられる。
【００５１】
以上に示した本発明を実施することで、異なる無線アクセス技術（RAT）のセル間を移動する際にも、無線端末が継続的に測定情報を取得することができ、無線局及び無線局を管理する上位のネットワーク（又は、ネットワーク装置）において当該測定情報を収集することができる。これにより、異なるＲＡＴのセル間を無線端末が移動する地点或はその付近における電波環境（例えば、各ＲＡＴの受信電力や受信品質、ＲＡＴ間のセルの重なり度合いなどの相対関係等）を把握することができ、複数のＲＡＴのセルを考慮したカバレッジ最適化やモビリティ最適化などを実現することができる。
【００５２】
尚、第１の無線局と第２の無線局を区別して説明を行ったが、ある無線局が第１の無線アクセス技術（ＲＡＴ）と第２の無線アクセス技術（ＲＡＴ）の両方の機能を有していても良い。
【００５３】
また、無線局による無線端末への測定情報の取得に関する設定情報の通知（つまり、測定情報の取得の指示）は、無線局を管理する上位のネットワーク装置やネットワーク運用管理装置が当該無線局へ指示することにより行われることも考えられる。例えば、より具体的には、ネットワーク運用管理装置がネットワーク装置を介して、或は、直接に無線局に設定情報の通知を行うことが考えられる。
【００５４】
以下、本発明の実施の形態を説明する。
【００５５】
＜第１の実施形態＞
図３から図５を用いて本発明の第１の実施形態について説明する。
【００５６】
図３は、本発明の第１の実施形態における無線通信システムを示す図である。第１の実施形態における無線通信システムは、第１の無線アクセス技術RAT1（Radio Access Technology 1）の機能を有する第１の無線局１、第１の無線局が提供する第１のセル２、第２の無線アクセス技術ＲＡＴ２の機能を有する第２の無線局３、第２の無線局３が提供する第２のセル４、及び、ＲＡＴ１とＲＡＴ２の両方の機能を有する無線端末５から構成される。尚、以下の説明において、第１の無線局１と第２の無線局３とを区別して説明するが、第１の無線局１又は第２の無線局３が第１の無線アクセス技術（ＲＡＴ）と第２の無線アクセス技術（ＲＡＴ）の両方の機能を有していても良い。さらに、第１の無線局１と第２の無線局３が同一の無線局であっても良い。
【００５７】
無線局１，３、無線端末５の機能ブロック図をそれぞれ図４、図５に示す。
【００５８】
図４において、無線局１，３は、無線端末からの無線信号を受信する受信部１０（Receiver）、無線端末や他のネットワークノード（Other Network Node）から受信した信号を復調する復調部１１（Demodulator）、無線端末毎に受信信号の品質等の測定を指示する測定制御部１２（Measurement control unit）、無線端末や他のネットワークへの信号を生成する信号生成部１３（Tx signal generator）、無線端末へ無線信号を送信する送信部１４（Transmitter）、から構成される。
【００５９】
測定制御部１２は、さらに、ＲＡＴ１における測定制御を行う部分（RAT1 control part）１２１と、ＲＡＴ２における測定制御を行う部分（RAT2 control part）１２２に分けられる。尚、無線局の例としては、無線基地局や、当該無線基地局を管理する基地局制御局などが考えられる。
【００６０】
図５において、無線端末５は、無線局１，３からの無線信号を受信する受信部２０（Receiver）、受信した信号を復調する復調部２１（Demodulator）、受信信号の品質等の測定を行う測定部２２（Measurement unit）、無線局１，３への信号を生成する信号生成部２３（Tx signal generator）、無線局１，３へ無線信号を送信する送信部２４（Transmitter）、から構成される。測定部２２は、さらに、測定に関する制御情報を保持する部分（Measurement configuration store part）２２１と、ＲＡＴ１における測定を行う部分（RAT1 measurement part）２２２と、ＲＡＴ２における測定を行う部分（RAT2 measurement part）２２３に分けられる。尚、図４、図５に示した機能ブロックの構成は一例であり、本発明の適用は、これらの構成に限定はされない。
【００６１】
以下に、第１の実施形態における具体的な実施例１を説明する。
【００６２】
＜実施例１＞
本発明の第１の実施例について説明する。図６は、第１の実施例における無線局と無線端末の動作を示すシーケンス図である。第１の実施例では、第１の無線局１が、無線端末５に、第１のセル２における測定情報の取得（つまり、測定及び測定結果の記録）及び報告の指示と、第２のセル４における測定情報の取得及び報告の指示を行う。
【００６３】
ステップＳ１０１：  第１の無線局１は、無線端末５に、第１のセル２における測定情報取得・報告の指示を行う。また、第１の無線局は、第２のセル４における測定情報取得・報告の指示を行う。このとき、第１の無線局１は、少なくとも第１の設定情報を無線端末５に通知する。
【００６４】
ステップＳ１０２：  無線端末５は、第１のセル２で測定情報（つまり、第１の測定情報）の取得を行う。
【００６５】
ステップＳ１０３：  無線端末５は、第２のセル４へ移動する。ここで言う移動とは、無線端末５が物理的に自身の位置を移動するか否かによらず、第１のセル２から第２のセル４へと滞在するセルを変更することを意味する。尚、このとき、無線端末５は、第２の設定情報を事前に受信していない場合、或は、第２の設定情報が第１の設定情報に比べ部分的である（つまり、情報が不足している）場合、第１の設定情報を再利用する処理を実行する。
【００６６】
ステップＳ１０４：  無線端末５は、第２のセル４で測定情報（つまり、第２の測定情報）の取得を行う。
【００６７】
ステップＳ１０５：  無線端末５は、第２のセル４で、第１の測定情報のログと第２の測定情報のログとを第２の無線局３へ報告する。ここで、無線端末５は、第１の測定情報のログと第２の測定情報のログを識別できるように報告を行っても良い。例えば、第１と第２の測定情報のログそれぞれの先頭に対応する無線アクセス技術（RAT）を示す情報を付加する、第１の測定情報のログの最後に第１のＲＡＴを示す情報を付加する、或は、第２の測定情報のログの先頭に第２のＲＡＴを示す情報を付加する、などの方法が考えられる。尚、これらのＲＡＴを識別する為の情報の付加は、測定情報を取得する際に行うようにしても良い。
【００６８】
以上のステップにより、無線端末が異なる無線アクセス技術（RAT）間を移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【００６９】
＜実施例２＞
本発明の第２の実施例について説明する。
【００７０】
図７は、第２の実施例における無線局と無線端末の動作を示すシーケンス図である。第２の実施例では、第１の無線局１が、無線端末５に、第１のセル２における測定情報の取得（つまり、測定及び測定結果の記録）及び報告の指示と、第２のセル４における測定情報の取得の指示を行う。つまり、当該無線端末５は、第２のセル４において測定情報の報告は行わない。
【００７１】
ステップＳ２０１：  第１の無線局１は、無線端末５に、第１のセル２における測定情報取得・報告の指示を行う。また、第１の無線局１は、第２のセル４における測定情報取得の指示を行う。このとき、第１の無線局１は、少なくとも第１の設定情報を無線端末５に通知する。
【００７２】
ステップＳ２０２：  無線端末５は、第１のセル２で測定情報（つまり、第１の測定情報）の取得を行う。
【００７３】
ステップＳ２０３：  無線端末５は、第２のセル４へ移動する。ここで言う移動とは、無線端末が物理的に自身の位置を移動するか否かによらず、第１のセル２から第２のセル４へと滞在するセルを変更することを意味する。尚、このとき、無線端末５は、第２の設定情報を事前に受信していない場合、或は、第２の設定情報が第１の設定情報に比べ部分的である（つまり、情報が不足している）場合、第１の設定情報を再利用する処理を実行する。
【００７４】
ステップＳ２０４：  無線端末５は、第２のセル４で測定情報（つまり、第２の測定情報）の取得を行う。ここで、Ｓ２０１において、第２のセル４で測定情報の報告を行う指示を受けていないので、当該無線端末が第２のセル４でアクティブ状態になったとしても、取得した測定情報の報告は行わない。
【００７５】
ステップＳ２０５：  無線端末５は、再び第１のセル２へ移動する。
【００７６】
ステップＳ２０６：  無線端末５は、再び第１のセル２で第１の測定情報を取得する。
【００７７】
ステップＳ２０７：  無線端末５は、第１のセル２で、第１の測定情報のログと第２の測定情報のログを第１の無線局１へ報告する。ここで、無線端末５は、第１の実施例と同様に、第１の測定情報のログと第２の測定情報のログを識別できるように報告を行うようにしても良い。
【００７８】
以上のステップにより、無線端末が異なる無線アクセス技術（RAT）間を移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【００７９】
＜第２の実施形態＞
図８を用いて本発明の第２の実施形態について説明する。ここでは、３ＧＰＰ  ＬＴＥ（Long Term Evolution）及びＵＭＴＳ（Universal Mobile Telecommunication System）のシステムを想定する。
【００８０】
第２の実施形態における無線通信システムは、ネットワーク運用管理装置３０（Element Manager: EM。Element Management System: EMSとも呼ぶ）、トレース情報収集装置３１（Trace Collection Entity: TCE）、第１の無線アクセス技術（RAT）のＬＴＥの機能を有する第１の無線基地局３２（evolved Node B: eNB）、第１の無線基地局ｅＮＢが提供する第１のセル３３（LTE cell）、第２の無線アクセス技術のＵＭＴＳの機能を有する第２の基地局制御局（Radio Network Controller: RNC）／無線基地局（Node B: NB）３４、第２の基地局制御局ＲＮＣ／無線基地局ＮＢ３４が提供する第２のセル３５（UMTS cell）、及び、ＬＴＥとＵＭＴＳの両方の機能を有する無線端末３６（User Equipment: UE）から構成される。
【００８１】
尚、基地局制御局ＲＮＣと基地局ＮＢ３４は、実際には異なるノードであり、所定のインタフェースを介して互いに接続されているが、本発明の実施形態においては簡単の為にまとめて記載する。また、図示していないが、ＬＴＥの無線ネットワーク構成としては、他に、無線端末ＵＥの移動管理装置 (Mobility Management Entity: MME)、サービングゲートウェイ（Serving Gateway: S-GW）、などのネットワーク装置を含むパケットコアネットワーク（Evolved Packet Core: EPC）から構成される。同様に、ＵＭＴＳの無線ネットワーク構成としては、他に、サービングＧＰＲＳ（General Packet Radio Service）サポートノード（Serving GPRS Support Node: SGSN）、移動交換局（又は、移動通信交換局）（Mobile Switching Centre: MSC）、などのネットワーク装置を含むコアネットワーク（Core Network: CN）から構成される。
【００８２】
また、複数ＲＡＴ間に共通のネットワーク装置として、ホーム加入者管理サーバ （Home Subscriber Server: HSS）もある。さらに、本発明が、第１のＲＡＴがＵＭＴＳで、第２のＲＡＴがＬＴＥの場合でも適用できることは言うまでもない。尚、以下の説明において、無線基地局ｅＮＢと、基地局制御局ＲＮＣ／基地局ＮＢを区別して説明するが、ある１つの無線局が、無線基地局ｅＮＢの機能と基地局ＲＮＣ／基地局ＮＢの機能の両方を有していても良い。さらに、無線基地局ｅＮＢと基地局制御局ＲＮＣ／基地局ＮＢが、ある１つの無線局であっても良い。
【００８３】
また、無線端末ＵＥ３６による測定情報の取得及び報告の機能としては、３ＧＰＰ  ＬＴＥ及びＵＭＴＳで規定されている走行試験最小化機能（Minimization of Drive Test: MDT）の一つであるログＭＤＴ（Logged MDT）を想定する。Ｌｏｇｇｅｄ  ＭＤＴでは、無線端末ＵＥ３６が、無線局（例えば、ＬＴＥの無線基地局ｅＮＢやＵＭＴＳの基地局制御局ＲＮＣ／基地局ＮＢ）から通知された設定情報（Logged Measurement Configuration）に従って、ＬＴＥのＲＲＣ（Radio Resource Control）＿Ｉｄｌｅ状態、ＵＭＴＳのＵＭＴＳ＿Ｉｄｌｅ状態、ＣＥＬＬ＿ＰＣＨ（Paging CHannel）状態、URA（UTRAN Registration Area）＿ＰＣＨ状態、のいずれかの状態において、測定情報の取得（つまり、測定、及び当該測定結果の記録）を行う。ここで、測定結果を記録したものをログと呼ぶ。尚、ログには、記録した時刻（又は、タイミング）を示す情報なども含まれる。
【００８４】
一方、Ｌｏｇｇｅｄ  ＭＤＴにおける測定情報の項目としては、例えば以下のものがある。
ＬＴＥの場合；
・サービングセル（serving cell）及び隣接セル（neighbouring cell）のリファレンス信号（Reference Signal: RS）の受信電力（RS Received Power: RSRP）
・サービングセル（serving cell）及び隣接セル（neighbouring cell）のリファレンス信号（RS）の受信品質（RS Received Quality: RSRQ）
・共通制御信号（又は、共通制御チャネル）の受信失敗情報（Paging Channel Failure、Broadcast Channel Failure）
・ランダムアクセス信号の送信失敗情報（Random Access Failure）
・無線リンク失敗ＲＬＦ（Radio Link Failure）情報
・位置情報
ここで、位置情報としては、ＧＰＳに代表されるＧＮＳＳで取得した詳細な位置情報や、ＯＴＤＯＡ等のネットワークベースの位置情報取得サービス（Location Service: LCS）で取得した詳細な位置情報がある。尚、詳細な位置情報が取得できなかった（又は、保有していない）場合には、同一周波数の複数の隣接セルの物理セルＩＤ（Physical Cell Identity: PCI）と、当該隣接セルのリファレンス信号の受信電力（RSRP）を位置情報として記録する。これをＲＦ（Radio Frequency）  ｆｉｎｇｅｒｐｒｉｎｔとも呼ぶ。
【００８５】
同様に、ＵＭＴＳの場合；
・サービングセル（serving cell）及び隣接セル（neighbouring cell）のパイロット信号（Common Pilot Channel: CPICH）の受信電力（Received Signal Code Power: RSCP）
・サービングセル（serving cell）及び隣接セル（neighbouring cell）のパイロット信号（CPICH）の受信品質（Ratio of energy per modulating bit to the noise spectral density: Ec/No）
・共通制御信号（又は、共通制御チャネル）の受信失敗情報（Paging Channel Failure、Broadcast Channel Failure）
・ランダムアクセス信号の送信失敗情報（Random Access Failure）
・無線リンク失敗ＲＬＦ（Radio Link Failure）情報
・位置情報
ここで、位置情報としては、ＬＴＥの場合と同じくＧＮＳＳやＬＣＳで取得した詳細な位置情報がある。また、詳細な位置情報が取得できなかった（又は、保有していない）場合には、同一周波数の複数の隣接セルの物理セルＩＤ（Primary Synchronization Code: PSC）と、当該隣接セルのパイロット信号の受信電力（RSCP）を位置情報として記録する。
【００８６】
また、Ｌｏｇｇｅｄ  ＭＤＴの設定情報（Logged Measurement Configuration）には、例えば以下のものが含まれる。
【００８７】
・測定情報（例えば、測定結果）の記録開始の基準となる絶対時刻（Absolute Time Info）、
・測定情報（例えば、測定結果）の記録期間（Logging Duration）
・測定情報（例えば、測定結果）の記録周期（Logging Interval）
・測定情報（例えば、測定結果）の記録対象エリア（Area Configuration）
・トレース関連情報（Trace Information）
ここで、記録対象エリアは、ＬＴＥの場合、グローバルセルＩＤ（EUTRAN Cell Global Identity: ECGI）又はトラッキングエリア（Tracking Area: TA）で示され、ＵＭＴＳの場合、グローバルセルＩＤ（Cell Global Identity: CGI）、ルーティングエリア（Routing Area: RA）、ロケーションエリア（Location Area: LA）のいずれかで示される。記録対象エリア（Area Configuration）が設定情報に含まれない場合には、当該設定情報を受信した際の公衆陸上移動通信網（Public Land Mobile Network: PLMN）のエリアに滞在している間に、記録を行う。尚、当該ＰＬＭＮと等価なＰＬＭＮ（equivalent PLMN: ePLMN）に滞在している間にも記録を行うようにしても良い。
【００８８】
また、トレース関連情報は、無線端末ＵＥが測定情報を取得、報告するＭＤＴの実行を無線ネットワーク側で管理する為の情報で、Ｌｏｇｇｅｄ  ＭＤＴの際には無線端末ＵＥがログを報告する際に一緒に無線ネットワークに報告される。より具体的には、どの無線端末ＵＥによる、無線ネットワークがいつ指定したＭＤＴかを識別する為の所定の識別子（トレースリファレンスID： Trace Reference ID）や、無線端末ＵＥから報告されたログを収集するＴＣＥの情報（TCE IP AddressやTCE ID）などが含まれる。
【００８９】
一方、第１のＲＡＴ（ＬＴＥ）の無線基地局ｅＮＢ３２が、無線端末ＵＥ３６に、第２のＲＡＴ（ＵＭＴＳ）のセル３５に移動（例えば、セル再選択： Cell Reselectionやハンドオーバ：  Handover）後に継続して測定情報の取得（つまり、測定、及び測定結果の記録）を行う要求（又は、指示）としては、例えば以下の３つの方法が考えられる。
【００９０】
・第２のＲＡＴのセルにおける測定情報の取得（つまり、ログ生成）を要求する方法
・第２のＲＡＴのセルにおける測定情報の取得（つまり、ログ生成）と、第１及び第２のＲＡＴのセルにおいて取得したログの報告とを要求する方法
・第２のＲＡＴのセルにおける測定情報の取得（つまり、ログ生成）と、第２のＲＡＴのセルにおいて取得したログの報告を要求する方法
また、当該要求を行う方法としては、例えば以下の２つの手段が考えられる。
【００９１】
a)  第２のＲＡＴのセルにおいて、上記いずれかの方法の実行を要求する情報（例えば、フラグ等）を通知する
b)  第２のＲＡＴのセルにおけるＬｏｇｇｅｄ  ＭＤＴの設定情報を含むメッセージを通知する
尚、なお、第１のＲＡＴ（ＬＴＥ）の無線基地局eNB３２は、第２のRATのセルにおけるＬｏｇｇｅｄ  ＭＤＴの設定情報を、第１のRATのセルにおけるＬｏｇｇｅｄ  ＭＤＴの設定情報と併せて通知してもよい。また、手段b）は、無線端末ＵＥ３６が当該メッセージを受信した際、上記３つの方法のいずれを実行する指示を受けたかを認識できるように、予め仕様に規定する、或は、無線ネットワーク側と無線端末側で予め共有しておくことで容易に実現できる。そうでなければ、例えば手段a)とb)を併用することが考えられる。
【００９２】
さらに、第２のＲＡＴのセルにおけるＬｏｇｇｅｄ  ＭＤＴの設定情報（つまり、第２の設定情報）は、第１のＲＡＴのセルにおけるＬｏｇｇｅｄ  ＭＤＴの設定情報（つまり、第１の設定情報）と同様の項目（又は、情報）を含んでいても良いし、第１の設定情報に含まれる項目（又は、情報）のうちの一部のみに対応する部分的なものでも良い。尚、第２の設定情報が無い場合、或は、第１の設定情報に比べ情報量が不足している（例えば、第１の設定情報の部分的なものである）場合、無線端末は、第２の設定情報で不足している（例えば、第１の設定情報に比べ不足している）部分については、第１の設定情報のものを再利用する。ここで言う再利用とは、
・絶対時刻、記録期間、記録周期、トレース関連情報等をそのまま引き継ぐ（又は、使用する）こと、
・記録期間や記録周期等を計測するタイマやカウンタ等の値を継続すること、
などの処理を指すことが考えられるが、これらに限定はされない。
【００９３】
尚、３ＧＰＰのＬｏｇｇｅｄ  ＭＤＴでは、対象となる測定情報の項目（つまり、測定項目）がＲＡＴ毎に仕様に規定されている（LTEはRSRPとRSRQ、UMTSはRSCPとEc/No）。そこで、無線端末ＵＥ３６は、異種ＲＡＴ間のセルの移動（セル再選択やハンドオーバ）を行ってＲＡＴを切り替える際に、当該測定情報の項目（測定項目）を切り替える処理も行う。
【００９４】
ここで、異なるＲＡＴのセルへ移動した後のＬｏｇｇｅｄ  ＭＤＴの開始（つまり、ログ取得の開始）は、移動先のセルがＬｏｇｇｅｄ  ＭＤＴの対象エリアであることを認識（又は、検知）した後で行っても良いし、当該認識（又は、検知）をする前に行っても良い。Ｌｏｇｇｅｄ  ＭＤＴの対象エリアであるか否かの判定は、例えば移動先のセルにおいて報知されるシステム情報（System Information）を受信し、当該セルがＬｏｇｇｅｄ ＭＤＴの対象ＰＬＭＮであるか否かを判定する方法が考えられる。同様に、ＬＴＥの場合にはグローバルセルＩＤやＴＡ、ＵＭＴＳの場合にはグローバルセルＩＤやＲＡやＬＡで判定をしても良い。
【００９５】
一方、無線端末ＵＥ３６が異なるＲＡＴのセルにおいてログを取得する場合、第１のＲＡＴのセルにおけるログと、第２のＲＡＴのセルにおけるログを識別できるように報告を行っても良い。例えば、以下のような方法が考えられる。
【００９６】
・ある時点で無線ネットワークから指示された一連のＬｏｇｇｅｄ  ＭＤＴの実行において、各ＲＡＴそれぞれでログを取得する際に当該ＲＡＴを示す情報（例えば、フラグや識別子）を付加する方法（例えば、各RATで取得した最初のログに当該RATを示す情報を付加する）
・Ｌｏｇｇｅｄ  ＭＤＴの実行の指示を受けたＲＡＴから他のＲＡＴへ移動した際に移動先のＲＡＴにおける最初のログを取得する際に当該ＲＡＴを示す情報を付加する方法（さらに、ＲＡＴ変更毎に繰り返す）
・ＲＡＴ毎に別の情報要素（Information Element）を規定する方法（図９に、ＬＴＥのセルで報告する場合のフォーマットの一例を示す）
・ＲＡＴ毎に別のメモリを用意し、各メモリに保存されたログの中にＲＡＴを示す情報を付加する方法
また、ＲＡＴを示す情報を付加する場合には、ログ取得時の代わりに、報告時に行うようにしても良い。
【００９７】
以下に、上述の第２の実施形態を前提とした場合の本発明のさらなる実施例について説明する。
【００９８】
＜実施例３＞
本発明の第３の実施例について説明する。
【００９９】
図１０は、第３の実施例における無線局と無線端末の動作を示すシーケンス図である。図１０では、第１の無線アクセス技術（RAT）の第１の無線局としてＬＴＥの無線基地局ｅＮＢ３２を、第２の無線アクセス技術（RAT）の第２の無線局としてＵＭＴＳの基地局制御局ＲＮＣ／基地局ＮＢ３４を想定し、無線端末ＵＥ３６が、ＬＴＥのセル３３にＲＲＣ＿Ｃｏｎｎｅｃｔｅｄ状態で滞在している（つまり、当該セルを管理する無線基地局ｅＮＢに帰属している）ものとする。
【０１００】
第３の実施例では、ＬＴＥの無線基地局ｅＮＢ３２が、無線端末ＵＥ３６に、ＬＴＥのセル３３及びＵＭＴＳのセル３５におけるＬｏｇｇｅｄ  ＭＤＴの実行、つまり測定情報の取得（つまり、測定、及び測定結果の記録）及び報告の指示を行う。尚、ここではＲＲＣ＿Ｉｄｌｅ状態の無線端末ＵＥ３６が、ＬＴＥとＵＭＴＳの異種ＲＡＴ間で異種ＲＡＴ間セル再選択（Inter-RAT Cell Reselection）を行う際、ＬＴＥ及びＵＭＴＳで以前に登録した位置登録エリアから変更が無い限り、位置登録手順を省略することができる機能であるＩＳＲ（Idle mode Signaling Reduction）を適用した場合を想定する。
【０１０１】
ステップＳ３０１：  無線基地局ｅＮＢ３２は、無線端末ＵＥ３６に、ＬＴＥのセル３３におけるＬｏｇｇｅｄ  ＭＤＴ実行の指示となる第１の設定情報であるＬｏｇｇｅｄ ＭＤＴ設定情報の送信（Logged Measurement Configuration for LTE）と、ＵＭＴＳのセル３５におけるＬｏｇｇｅｄ  ＭＤＴ実行の指示を行う。尚、ＵＭＴＳのセル３５におけるＬｏｇｇｅｄ  ＭＤＴ実行の指示は、a) ＵＭＴＳのセル３５においてＬｏｇｇｅｄ  ＭＤＴを継続する要求（Logging continuation request for UMTS）の送信、或は、b)  ＵＭＴＳのセル３５のおけるＬｏｇｇｅｄ  ＭＤＴの実行に必要な第２の設定情報であるＬｏｇｇｅｄ  ＭＤＴ設定情報の送信（Logged Measurement Configuration for UMTS）、のいずれかの方法にて行う。
【０１０２】
ステップＳ３０２：  無線基地局ｅＮＢ３２は、所定タイミングで、当該無線端末ＵＥ３６をアイドル状態（RRC_Idle）へと遷す指示を行う（RRC Connection Release）。
【０１０３】
ステップＳ３０３：  無線端末ＵＥ３６は、ＲＲＣ接続を開放し、アイドル状態へと遷移する（RRC connection release (go to RRC_IDLE)）。
【０１０４】
ステップＳ３０４：  無線端末ＵＥ３６は、ＬＴＥのセル３３において測定情報の取得を行う（Log measurement results in LTE cell）。
【０１０５】
ステップＳ３０５：  無線端末ＵＥ３６は、所定のセル再選択トリガがかかると、ＬＴＥのセル３３からＵＭＴＳのセルへ３５とセル再選択を行う（Cell reselection to UMTS cell）。
【０１０６】
ステップＳ３０６：  無線端末ＵＥ３６は、第１の設定情報のみを通知された場合（つまり、オプション a）の場合）、第１の設定情報の引き継ぎ、及び、第１の設定情報を基にした処理（例えば、タイマやカウンタによる計測）の継続を行う（Measurement configuration swapping）。
【０１０７】
ステップＳ３０７：  無線端末ＵＥ３６は、測定情報の項目（つまり、測定項目）をＬＴＥのもの（RSRP、RSRQ）からＵＭＴＳのもの（RSCP、Ec/No）へと切り替えを行い、測定情報の取得を行う（Log measurement results in UMTS cell）。
【０１０８】
ステップＳ３０８：  無線端末ＵＥ３６は、所定のＲＲＣ接続確立トリガがかかると、基地局制御局ＲＮＣ／基地局ＮＢ３４とＲＲＣ接続を確立し、保有しているログを報告する（RRC Connection Establishment and Log Retrieval）。このとき、無線端末ＵＥ３６は、ＬＴＥのセル３３において取得したログと、ＵＭＴＳのセル３５において取得したログを識別できる情報を付加して報告する。
【０１０９】
以上のステップにより、無線端末ＵＥが異なる無線アクセス技術（RAT）間でセル再選択を行って移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【０１１０】
図１１に、第３の実施例における無線端末ＵＥ３６の動作のフローチャートを示す。ここでは、初期状態として、無線端末ＵＥ３６がＬＴＥのセル３３にＲＲＣ＿Ｃｏｎｎｅｃｔｅｄ状態で滞在している（つまり、サービングセルがＬＴＥセル）ものとする。
【０１１１】
無線端末ＵＥ３６は、無線基地局ｅＮＢ３２からＲＲＣ接続開放の指示を受信したかを判定する（Ｆ３０１：Receive RRC Connection Release msg?）。ＲＲＣ接続開放の指示を受信した場合（Ｆ３０１Ｙｅｓ）、ＲＲＣ接続を開放し（Ｆ３０２： RRC Connection Release）、ＬＴＥセル３３においてＬｏｇｇｅｄ ＭＤＴを実行する（Ｆ３０３： Execute Logged MDT in LTE cell）。無線端末ＵＥ３６は、所定タイミングでセル再選択を行う必要があるか否かを判定し（Ｆ３０４： Trigger Inter-RAT Cell Reselection?）、必要出ない場合（Ｆ３０４ No）、Ｌｏｇｇｅｄ  ＭＤＴを継続する。セル再選択を行う必要がある場合（Ｆ３０４  Ｙｅｓ）、第３の実施例ではＵＭＴＳのセルにセル再選択を実行する（Ｆ３０５： Perform Inter-RAT Cell Reselection）。
【０１１２】
無線端末ＵＥ３６は、新規セルがＬｏｇｇｅｄ ＭＤＴの対象エリアか否かを判定する（Ｆ３０６： Still in MDT valid area?）し、対象エリアでない場合（Ｆ３０６  Ｎｏ）には、Ｌｏｇｇｅｄ  ＭＤＴを終了（或は、中断）する（Ｅｎｄ）。一方、対象エリアである場合（Ｆ３０６  Ｙｅｓ）、ＵＭＴＳセル３５におけるＬｏｇｇｅｄ  ＭＤＴの継続が要求されていたか否かを判定する（Ｆ３０７： Have MDT Continuation Request in UMTS?）。Ｌｏｇｇｅｄ  ＭＤＴの継続が要求されていた場合（Ｆ３０７  Ｙｅｓ）、ＵＭＴＳに対するＬｏｇｇｅｄ  ＭＤＴの設定情報を保持しているか（或は、受信したか）否かを判定する（Ｆ３０８： Keep Logged Measurement Configuration for UMTS?）。
【０１１３】
保持している場合（Ｆ３０８  Ｙｅｓ）、当該設定情報を用いてＵＭＴＳセル３５においてＬｏｇｇｅｄ ＭＤＴを実行する（Ｆ３１０： Execute Logged MDT in UMTS cell）。保持していない場合（Ｆ３０８  Ｎｏ）（例えば、図１０のＳ３０１a）の場合に相当）、ＬＴＥのＬｏｇｇｅｄ  ＭＤＴの設定情報を再利用し（Ｆ３０９： Measurement Configuration Swapping）（例えば、図１０のＳ３０６に相当）、Ｌｏｇｇｅｄ  ＭＤＴを実行する（Ｆ３１０： Execute Logged MDT in UMTS cell）。そして、ある時刻において、ＲＲＣ接続確立の要否を判定し（Ｆ３１１：  Trigger RRC Connection Request?）、ＲＲＣ接続確立が必要である（或は、トリガがかかった）場合（Ｆ３１１  Ｙｅｓ）、ＲＲＣ接続を確立する（Ｆ３１２： RRC Connection Establishment）。そして、ＬＴＥ及びＵＭＴＳのセルにおいて取得したログを報告する（Ｆ３１３： Log Report）。
【０１１４】
以上の動作により、無線端末ＵＥが異なる無線アクセス技術（RAT）間でセル再選択を行って移動する際にも、継続的な測定情報の取得が実現できる。
【０１１５】
尚、図１１では、ログ報告の要求をＵＭＴＳの基地局制御局ＲＮＣ／基地局ＮＢから受信したか否かの判定ステップを省略し、要求があったことを前提としている。また、ＵＭＴＳのセルから再びＬＴＥのセルに移った場合にも、ＬＴＥのセル３３からＵＭＴＳのセル３５に移った場合と同様の動作を行うことで、継続的な測定情報の取得が実現できることは言うまでもない。
【０１１６】
また、Ｆ３０６におけるＭＤＴ対象エリアか否かの判定は、例えば移動した先のＵＭＴＳのセルにおいて、システム情報を受信し、対象となるＰＬＭＮか否かで判定する方法が考えられる。同様に、対象エリアの情報（例えば、ＬＴではグローバルセルＩＤやＴＡ、ＵＭＴＳではグローバルセルＩＤやＲＡやＬＡ）に合致しているか否かを判定する方法でも良い。さらに、当該エリア判定ステップを行わない、或は、行う前に、Ｌｏｇｇｅｄ  ＭＤＴのログ取得を行うようにしても良い。
【０１１７】
＜実施例３の変形例＞
図１２に、第３の実施例の変形例を示す。
【０１１８】
図１２において、図１０に示すステップＳ３０１からＳ３０７までが行われているものとし、所定のタイミングで無線端末ＵＥ３６がＲＲＣ接続要求を行う場合を想定する。
【０１１９】
ステップＳ３１１：  無線端末ＵＥ３６は、ＲＲＣ接続を確立する要求を基地局制御局ＲＮＣ／基地局ＮＢ３４に行う（RRC Connection Request）。
【０１２０】
ステップＳ３１２：  基地局制御局ＲＮＣ／基地局ＮＢ３４は、ＲＲＣ接続を確立する為の制御情報を無線端末ＵＥ３６に通知する（RRC Connection Setup）。
【０１２１】
ステップＳ３１３：  無線端末ＵＥ３６は、当該制御情報を基に、ＲＲＣ接続確立に必要な設定が完了したことを基地局制御局ＲＮＣ／基地局ＮＢ３４に報告する（RRC Connection Setup Complete）。このとき、ＬＴＥ及びＵＭＴＳのセル（或は少なくともＬＴＥのセル）において取得したログを保有していること（つまり、利用可能であること）（logMeasAvailable-interRAT）も報告する。尚、LTE及びＵＭＴＳのセルにおいて取得したログを保有していることを、それぞれ別の情報で示しても良い。例えば、logMeasAvailable-interRATの代わりに、無線端末ＵＥが滞在しているＲＡＴのセルにおいて取得したログを保有していること（logMeasAvailable）と異なるＲＡＴのセルにおいて取得したログを保有していること（logMeasAvailable-ＬＴＥ）を示す、又は、どのＲＡＴのセルにおいて取得したログかをそれぞれ示す（logMeasAvailable-UMTSとlogMeasAvailable-LTE）方法がある。
【０１２２】
ステップＳ３１４：  基地局制御局ＲＮＣ／基地局ＮＢ３４は、当該ログ保有の報告などを基に、当該無線端末ＵＥにＬＴＥ及びＵＭＴＳのセルにおいて取得したログを報告させるか否かを判定する（Decision on inter-RAT log retrieval）。尚、図１２では報告させると判定した場合を示す。ここで、報告させるか否かの判定に用いる他の情報としては、無線端末ＵＥの端末能力情報、上位ネットワーク（例えばＥＭ（Ｓ）やＣＮ）から異種ＲＡＴ間にまたがるＬｏｇｇｅｄ  ＭＤＴの実行の指示があるか（或は、指示があったか）否か、などが考えられる。
【０１２３】
ステップＳ３１５：  基地局制御局ＲＮＣ／基地局ＮＢ３４は、無線端末ＵＥ３６に、ＬＴＥ及びＵＭＴＳのセルにおいて取得したログ報告の要求を行う（UE Information Request (logMeasReportReq-interRAT)）。尚、Ｓ３１４にて、同一ＲＡＴつまりＵＭＴＳのセルにおいて取得したログのみを報告させる場合には、従来のログ報告の要求を行う（UE Information Request (logMeasReportReq)）ことが考えられる。
【０１２４】
ステップＳ３１６：  無線端末ＵＥ３６は、ログ報告の要求に応じて、ログを報告する（UE Information Response (LogMeasReport)）。ここで、ログ報告のフォーマットは、例えば図９に示すフォーマットを用いて報告する方法が考えられる。
【０１２５】
以上のステップにより、無線端末ＵＥが異なる無線アクセス技術（RAT）間でセル再選択を行って移動しながら継続的な測定情報の取得を行うシステムにおいて、取得した測定情報のログを報告するか否かを無線ネットワーク側の状況やサポートしている機能に応じて判断することができる。
【０１２６】
＜実施例４＞
本発明の第４の実施例について説明する。
【０１２７】
図１３は、第４の実施例における無線局と無線端末の動作を示すシーケンス図である。図１３では、図１０と同様に、第１の無線アクセス技術（RAT）の第１の無線局としてＬＴＥの無線基地局ｅＮＢ３２を、第２の無線アクセス技術（RAT）の第２の無線局としてＵＭＴＳの基地局制御局ＲＮＣ／基地局ＮＢ３４を想定し、無線端末ＵＥ３６がＬＴＥのセル３３に滞在しているものとする。
【０１２８】
第４実施例では、ＬＴＥの無線基地局ｅＮＢ３２が、無線端末ＵＥ３６に、ＬＴＥのセル３３における測定情報の取得（つまり、測定、及び測定結果の記録）及び報告の指示と、ＵＭＴＳのセル３５における測定情報の取得の指示を行う。第３の実施例との違いは、第２のセルであるＵＭＴＳのセル３５においては、測定情報の取得のみを継続して行い、報告は行わせないことである。尚、ここでは第３の実施例と同様に、ＩＳＲを適用した場合を想定する。
【０１２９】
ステップＳ４０１：  無線基地局ｅＮＢ３２は、無線端末ＵＥ３６に、ＬＴＥのセル３３における測定情報の取得・報告の指示となる第１の設定情報の送信（Logged Measurement Configuration for LTE）と、ＵＭＴＳのセル３５における測定情報の取得の指示を行う。尚、ＵＭＴＳのセル３５における測定情報の取得の指示は、a) ＵＭＴＳのセル３５において測定情報の取得を行う要求（Logging continuation request for UMTS）の送信、或は、b)  ＵＭＴＳのセル３５のおける測定情報の取得に必要な第２の設定情報の送信（Logged Measurement Configuration for UMTS）、のいずれかの方法にて行う。
【０１３０】
ステップＳ４０２：  無線基地局ｅＮＢ３２は、所定タイミングで、当該無線端末ＵＥ３６をアイドル状態（RRC_Idle）へと遷す指示を行う（RRC Connection Release）。
【０１３１】
ステップＳ４０３：  無線端末ＵＥ３６は、ＲＲＣ接続を開放し、アイドル状態へと遷移する（RRC connection release (go to RRC_IDLE)）。
【０１３２】
ステップＳ４０４：  無線端末ＵＥ３６は、ＬＴＥのセル３３において測定情報の取得を行う（Log measurement results in LTE cell）。
【０１３３】
ステップＳ４０５：  無線端末ＵＥ３６は、所定のセル再選択トリガがかかると、ＬＴＥのセル３３からＵＭＴＳのセル３５へとセル再選択を行う（Cell reselection to UMTS cell）。
【０１３４】
ステップＳ４０６：  無線端末ＵＥ３６は、第１の設定情報のみを通知された場合（つまり、オプション a）の場合）、第１の設定情報の引き継ぎ、及び第１の設定情報を基にした処理（例えば、タイマやカウンタによる計測）の継続を行う（Measurement configuration swapping）。
【０１３５】
ステップＳ４０７：  無線端末ＵＥ３６は、測定情報の項目（つまり、測定項目）をＬＴＥのものからＵＭＴＳのものへと切り替えを行い、測定情報の取得を行う（Log measurement results in UMTS cell）。
【０１３６】
ステップＳ４０８：  無線端末ＵＥ３６は、所定のＲＲＣ接続確立のトリガがかかると、基地局制御局ＲＮＣ／基地局ＮＢ３２とＲＲＣ接続を確立する（RRC Connection Establishment）。但し、ここでは保有しているログの報告を行わない（no Log Retrieval）。
【０１３７】
ステップＳ４０９：  基地局制御局ＲＮＣ／基地局ＮＢ３２は、所定タイミングで、無線端末ＵＥ３６をアイドル状態へと遷す指示を行う（RRC Connection Release）。
【０１３８】
ステップＳ４１０：  無線端末ＵＥ３６は、ＲＲＣ接続を開放し、アイドル状態へと遷移する（RRC connection release）。
【０１３９】
ステップＳ４１１；  無線端末ＵＥ３６は、ＵＭＴＳのセルにおいて再び測定情報の取得を行う（Log measurement results in UMTS cell）。
【０１４０】
ここで、図示していないが、無線端末ＵＥ３６は、再びＬＴＥのセル３３にセル再選択を行い移動した場合、測定情報の取得を再開する。そして、ＬＴＥのセル３３においてＲＲＣ接続確立のトリガがかかった場合、ＲＲＣ接続確立完了後に保有しているＬＴＥのセル３３及びＵＭＴＳのセル３５において取得したログを報告する。
【０１４１】
以上のステップにより、無線端末ＵＥが異なる無線アクセス技術（RAT）間でセル再選択を行って移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【０１４２】
＜実施例５＞
本発明の第５の実施例について説明する。
【０１４３】
図１４は、第５の実施例における無線ネットワークと無線端末の動作を示すシーケンス図である。図１４では、ネットワーク運用管理装置ＥＭ（Ｓ）４０、ホーム加入者管理サーバＨＳＳ４１、第１の無線アクセス技術（ＲＡＴ）のＬＴＥのパケットコアネットワークＥＰＣ４２、無線基地局ｅＮＢ４３、第２のＲＡＴのＵＭＴＳのコアネットワークＣＮ４４、基地局制御局ＲＮＣ／基地局ＮＢ４５、無線端末ＵＥ４６、トレース情報収集装置ＴＣＥ４７から構成される無線通信システムを想定する。また、ＭＤＴの方式としては、マネジメントベース方式（Management based）（エリアベース方式（Area based）とも呼ばれる）のＬｏｇｇｅｄ  ＭＤＴを用いる。
【０１４４】
第５の実施例では、第３の実施例と同様に、ＬＴＥの無線基地局ｅＮＢ４３が、無線端末ＵＥ４６に、ＬＴＥのセル及びＵＭＴＳのセルにおける測定情報の取得（つまり、測定、及び測定結果の記録）及び報告の指示を行う。尚、ここではＲＲＣ＿Ｉｄｌｅ状態の無線端末ＵＥ４６が、ＬＴＥとＵＭＴＳの異種ＲＡＴ間で異種ＲＡＴ間セル再選択（Inter-RAT Cell Reselection）を行う際、ＬＴＥ及びＵＭＴＳで以前に登録した位置登録エリアから変更が無い限り、位置登録手順を省略することができる機能であるＩＳＲ（Idle mode Signaling Reduction）を適用した場合を想定する。
【０１４５】
ステップＳ５０１：  無線端末ＵＥ４６は、無線基地局ｅＮＢ４３に自身の無線アクセスに関連する端末能力情報（UE Capability Information）で、Ｌｏｇｇｅｄ  ＭＤＴの機能（loggedMeasurementsIdle）をサポートしていることを通知する。尚、端末能力情報に、異なるＲＡＴのセルにまたがるＬｏｇｇｅｄ  ＭＤＴの実行（つまり、ＲＡＴ変更後の継続的なＬｏｇｇｅｄ  ＭＤＴの実行）を行う能力があること（或は、あるか否か）を示す情報（例えば、loggedMeasurementsIdle-InterRAT）を新たに規定しても良い。
【０１４６】
ステップＳ５０２：  ネットワーク運用管理装置ＥＭ（Ｓ）４０は、ＬＴＥの無線基地局ｅＮＢ４３、ＵＭＴＳの基地局制御局ＲＮＣ／基地局ＮＢ４４に、Ｌｏｇｇｅｄ  ＭＤＴによる複数ＲＡＴにまたがる端末測定情報収集（Ｉｎｔｅｒ−ＲＡＴ  Ｌｏｇｇｅｄ ＭＤＴ）の開始要求を出す（Trace Activation Request for Inter-RAT）。
【０１４７】
ステップＳ５０３：  ホーム加入者管理サーバＨＳＳ４１は、ＬＴＥのパケットコアネットワークＥＰＣ４２及びＵＭＴＳのコアネットワークＣＮ４４を介し、それぞれの配下の無線基地局ｅＮＢ４３及び基地局制御局ＲＮＣ／基地局ＮＢ４５に、無線端末ＵＥ４６のＬｏｇｇｅｄ  ＭＤＴにおけるＧＰＳ等の詳細位置情報報告に関するユーザ同意情報（User Consent Information）を通知する。ここで、ユーザ同意情報は、例えば無線端末ＵＥが詳細位置情報報告に同意している場合には同意“Ｃｏｎｓｅｎｔ”、 同意していない場合には“Ｕｎｃｏｎｓｅｎｔ”、などの情報が含まれる。
【０１４８】
ステップＳ５０４：  無線基地局ｅＮＢ４３は、ネットワーク運用管理装置ＥＭ（Ｓ）４０からの当該開始要求、無線端末ＵＥ４６の端末能力情報、ユーザ同意情報などを基に、Ｌｏｇｇｅｄ  ＭＤＴを実行させる無線端末ＵＥ４６を選択する（UE selection）。例えば、同意している（つまり、“Ｃｏｎｓｅｎｔ”）無線端末ＵＥを選択する。
【０１４９】
ステップＳ５０５：  無線基地局ｅＮＢ４３は、選択した無線端末ＵＥ４６に対して、ＬＴＥのセルにおける測定情報の取得・報告、及び、ＵＭＴＳのセルにおける測定情報の取得・報告の指示となるメッセージの送信を行う（Logged Measurement Configuration for Inter-RAT）。ここで、当該メッセージは、ＬＴＥのセルにおける測定情報の取得・報告の指示となる第１の設定情報の送信（Logged Measurement Configuration for LTE）に加え、下記２つの方法のいずれかで行う。
【０１５０】
a)  ＵＭＴＳのセルにおいて測定情報の取得・報告を行う要求（Logging continuation request for UMTS）の送信
b)  ＵＭＴＳのセルのおける測定情報の取得に必要な第２の設定情報の送信（Logged Measurement Configuration for UMTS）
ステップＳ５０６：  無線基地局ｅＮＢ４３は、所定タイミングで、当該無線端末ＵＥ４６をアイドル状態（RRC_Idle）へと遷す指示を行う（RRC Connection Release）。
【０１５１】
ステップＳ５０７：  無線端末ＵＥ４６は、ＲＲＣ接続を開放し、アイドル状態へと遷移する（RRC connection release）。
【０１５２】
ステップＳ５０８：  無線端末ＵＥ４６は、ＬＴＥのセルにおいて測定情報の取得を行う（Log measurement results）。
【０１５３】
ステップＳ５０９：  無線端末ＵＥ４６は、所定のセル再選択トリガがかかると、ＬＴＥのセルからＵＭＴＳのセルへとセル再選択を行う（Cell reselection to UMTS cell）。
【０１５４】
ステップＳ５１０：  無線端末ＵＥ４６は、ＵＭＴＳのセルにおいて測定情報の取得・報告を行う要求を通知された場合（つまり、Ｓ５０５  a）の場合）、第１の設定情報の引き継ぎ、及び、第１の設定情報を基にした処理（例えば、タイマやカウンタによる計測）の継続を行う（Measurement configuration swapping）。
【０１５５】
ステップＳ５１１：  無線端末ＵＥ４６は、ＵＭＴＳのセルにおいて測定情報の取得を行う（Log measurement results in UMTS cell）。
【０１５６】
ステップＳ５１２：  無線端末ＵＥ４６は、所定のＲＲＣ接続確立トリガがかかると、基地局制御局ＲＮＣ／基地局ＮＢ４５とＲＲＣ接続を確立し、保有しているログを報告する（RRC Connection Establishment and Log Retrieval）。このとき、無線端末ＵＥ４６は、ＬＴＥのセルにおいて取得したログと、ＵＭＴＳのセルにおいて取得したログを識別できる情報を付加して報告する。
【０１５７】
ステップＳ５１３：  基地局制御局ＲＮＣ／基地局ＮＢ４５は、無線端末ＵＥ４６から収集したログをトレース情報収集装置ＴＣＥ４７へ転送する（Trace Record Reporting）。
【０１５８】
以上のステップにより、無線端末ＵＥが異なる無線アクセス技術（RAT）間でセル再選択を行って移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【０１５９】
＜実施例５の変形例＞
図１５に、第５の実施例の変形例を示す。
【０１６０】
図１５において、図１４に示すステップＳ５０１からＳ５１１までが行われているものとし、所定のタイミングで無線端末ＵＥがＲＲＣ接続要求を行う場合を想定する。
【０１６１】
ステップＳ５２１：  無線端末ＵＥ４６は、ＲＲＣ接続を確立する要求を基地局制御局ＲＮＣ／基地局ＮＢ４５に行う（RRC Connection Request）。
【０１６２】
ステップＳ５２２：  基地局制御局ＲＮＣ／基地局ＮＢ４５は、ＲＲＣ接続を確立する為の制御情報を無線端末ＵＥ４６に通知する（RRC Connection Setup）。
【０１６３】
ステップＳ５２３：  無線端末ＵＥ４６は、当該制御情報を基に、ＲＲＣ接続確立に必要な設定が完了したことを基地局制御局ＲＮＣ／基地局ＮＢ４５に報告する（RRC Connection Setup Complete）。このとき、ＬＴＥ及びＵＭＴＳのセル（或は少なくともＬＴＥのセル）において取得したログを保有していること（つまり、利用可能であること）（logMeasAvailable-interRAT）も報告する。
【０１６４】
ステップＳ５２４：  基地局制御局ＲＮＣ／基地局ＮＢ４５は、異なるＲＡＴのログを保有している報告を受けたことをネットワーク運用管理装置ＥＭ（Ｓ）４０に通知する（Inter-RAT Log Availability Indication）。
【０１６５】
ステップＳ５２５：  ネットワーク運用管理装置ＥＭ（Ｓ）４０は、無線端末ＵＥ４６にＬＴＥ及びＵＭＴＳのセルにおいて取得したログを報告させるか否かを判定する（Decision on inter-RAT log retrieval）。ここで、判定方法としては、例えば、事前に異なるＲＡＴのセルにまたがるＬｏｇｇｅｄ  ＭＤＴの実行（つまり、測定情報の取得）を指示していたか否か、或は、異なるＲＡＴのセルにまたがるＬｏｇｇｅｄ  ＭＤＴの実行が必要か否か、などに基づいて判定する方法が考えられる。
【０１６６】
ステップＳ５２６：  ネットワーク運用管理装置ＥＭ（Ｓ）４０は、異なるＲＡＴのログ保有報告への応答を基地局制御局ＲＮＣ／基地局ＮＢ４５に通知する（Inter-RAT Log Retrieval Response）。図１５では、異なるＲＡＴのログを報告させる場合（Request）を示す。尚、ＥＭ（Ｓ）４０の応答は、事前にオペレータによって設定されたポリシーに基づいて行われることが考えられるが、これに限定はされない。
【０１６７】
ステップＳ５２７：  基地局制御局ＲＮＣ／基地局ＮＢ４５は、無線端末ＵＥ４６に、ＬＴＥ及びＵＭＴＳのセルにおいて取得したログ報告の要求を行う（UE Information Request (logMeasReportReq-interRAT)）。
【０１６８】
ステップＳ５２８：  無線端末ＵＥ４６は、ログ報告の要求に応じて、ログを報告する（UE Information Response (LogMeasReport)）。
【０１６９】
ステップＳ５２９：  基地局制御局ＲＮＣ／基地局ＮＢ４５は、無線端末ＵＥ４６から収集したログをトレース情報収集装置ＴＣＥ４７へ転送する（Trace Record Reporting）。
【０１７０】
以上のステップにより、無線端末ＵＥが異なる無線アクセス技術（RAT）間でセル再選択を行って移動しながら継続的な測定情報の取得を行うシステムにおいて、取得した測定情報のログを報告するか否かを無線ネットワーク側の状況やサポートしている機能に応じて判断することができる。尚、ステップＳ５２４、Ｓ５２５は省略しても良いし、ネットワーク運用管理装置ＥＭ（Ｓ）の代わりにコアネットワークＣＮ（一方、ＬＴＥの場合にはパケットコアネットワークＥＰＣ）が行うようにしても良い。
【０１７１】
＜実施例６＞
本発明の第６の実施例について説明する。
【０１７２】
図１６は、第６の実施例における無線ネットワークと無線端末の動作を示すシーケンス図である。図１６では、ネットワーク運用管理装置ＥＭ（Ｓ）５０、ホーム加入者管理サーバＨＳＳ５１、第１の無線アクセス技術（ＲＡＴ）のＬＴＥのパケットコアネットワークＥＰＣ５２、無線基地局ｅＮＢ５３、第２のＲＡＴのＵＭＴＳのコアネットワークＣＮ５４、基地局制御局ＲＮＣ／基地局ＮＢ５５、無線端末ＵＥ５６、トレース情報収集装置ＴＣＥ５７から構成される無線通信システムを想定する。また、ＭＤＴの方式としては、シグナリングベース方式（Signaling based）のＬｏｇｇｅｄ  ＭＤＴを用いる。第６の実施例では、第５の実施例と同様に、ＬＴＥの無線基地局ｅＮＢが、無線端末ＵＥに、ＬＴＥのセル及びＵＭＴＳのセルにおける測定情報の取得（つまり、測定、及び測定結果の記録）及び報告の指示を行う。尚、ここではＲＲＣ＿Ｉｄｌｅ状態の無線端末ＵＥが、ＬＴＥとＵＭＴＳの異種ＲＡＴ間で異種ＲＡＴ間セル再選択（Inter-RAT Cell Reselection）を行う際、ＬＴＥ及びＵＭＴＳで以前に登録した位置登録エリアから変更が無い限り、位置登録手順を省略することができる機能であるＩＳＲ（Idle mode Signaling Reduction）を適用した場合を想定する。
【０１７３】
ステップＳ６０１：  ネットワーク運用管理装置ＥＭ（Ｓ）５０は、ホーム加入者サーバＨＳＳ５１へ、特定の無線端末ＵＥ５６へのＬｏｇｇｅｄ  ＭＤＴによる複数ＲＡＴにまたがる端末測定情報収集（Ｉｎｔｅｒ−ＲＡＴ  Ｌｏｇｇｅｄ ＭＤＴ）の要求を行う（Trace Activation Request for Inter-RAT）。ここで、無線端末ＵＥの特定方法としては、端末個別ＩＤであるＩＭＳＩ（International Mobile Subscriber Identity）やＩＭＥＩ（International Mobile Equipment Identity）などがある。尚、無線端末ＵＥを保有するユーザの、ＧＰＳなどの詳細位置情報の報告に関するユーザ同意情報（User Consent Information）を考慮して、無線端末ＵＥを選択する方法なども考えられる。
【０１７４】
ステップＳ６０２：  ホーム加入者管理サーバＨＳＳ５１は、Ｌｏｇｇｅｄ  ＭＤＴの対象となる無線端末ＵＥ５６が位置登録しているエリアを管理するＬＴＥのパケットコアネットワークＥＰＣ５２、及び、ＵＭＴＳのコアネットワークＣＮ５４へ、Ｉｎｔｅｒ−ＲＡＴ  Ｌｏｇｇｅｄ  ＭＤＴの指示を転送する（MDT Activation for Inter-RAT）。
【０１７５】
ステップＳ６０３：  ＬＴＥのパケットコアネットワークＥＰＣ５２は、対象となる無線端末ＵＥ５６が配下に存在する可能性のある無線基地局ｅＮＢ５３へ、Ｉｎｔｅｒ−ＲＡＴ  Ｌｏｇｇｅｄ  ＭＤＴの指示を転送する（MDT Activation for Inter-RAT）。
【０１７６】
ステップＳ６０４：  対象となる無線端末ＵＥ５６が存在する無線基地局ｅＮＢ５３は、当該無線端末ＵＥ５６へ、ＬＴＥのセルにおける測定情報の取得・報告、及び、ＵＭＴＳのセルにおける測定情報の取得・報告の指示となるメッセージの送信を行う（Logged Measurement Configuration for Inter-RAT）。ここで、当該メッセージは、ＬＴＥのセルにおける測定情報の取得・報告の指示となる第１の設定情報の送信（Logged Measurement Configuration for LTE）に加え、下記２つの方法のいずれかで行う。
【０１７７】
a)  ＵＭＴＳのセルにおいて測定情報の取得・報告を行う要求（Logging continuation request for UMTS）の送信
b)  ＵＭＴＳのセルのおける測定情報の取得に必要な第２の設定情報の送信（Logged Measurement Configuration for UMTS）
ステップＳ６０５：  無線基地局ｅＮＢ５３は、所定タイミングで、当該無線端末ＵＥ５６をアイドル状態（RRC_Idle）へと遷す指示を行う（RRC Connection Release）。
【０１７８】
ステップＳ６０６：  無線端末ＵＥ５６は、ＲＲＣ接続を開放し、アイドル状態へと遷移する（RRC connection release）。
【０１７９】
ステップＳ６０７：  無線端末ＵＥ５６は、ＬＴＥのセルにおいて測定情報の取得を行う（Log measurement results）。
【０１８０】
ステップＳ６０８：  無線端末ＵＥ５６は、所定のセル再選択トリガがかかると、ＬＴＥのセルからＵＭＴＳのセルへとセル再選択を行う（Cell reselection to UMTS cell）。
【０１８１】
ステップＳ６０９：  無線端末ＵＥ５６は、ＵＭＴＳのセルにおいて測定情報の取得・報告を行う要求を通知された場合（つまり、Ｓ６０４におけるaの方法の場合）、第１の設定情報の引き継ぎ、及び第１の設定情報を基にした処理（例えば、タイマやカウンタによる計測）の継続を行う（Measurement configuration swapping）。
【０１８２】
ステップＳ６１０：  無線端末ＵＥ５６は、ＵＭＴＳのセルにおいて測定情報の取得を行う（Log measurement results in UMTS cell）。
【０１８３】
ステップＳ６１１：  無線端末ＵＥ５６は、所定のＲＲＣ接続確立トリガがかかると、基地局制御局ＲＮＣ／基地局ＮＢ５５とＲＲＣ接続を確立し、保有しているログを報告する（RRC Connection Establishment and Log Retrieval）。このとき、無線端末ＵＥ５６は、ＬＴＥのセルにおいて取得したログと、ＵＭＴＳのセルにおいて取得したログを識別できる情報を付加して報告する。
【０１８４】
ステップＳ６１２：  基地局制御局ＲＮＣ／基地局ＮＢ５５は、無線端末ＵＥ５６から収集したログをトレース情報収集装置ＴＣＥ５７へ転送する（Trace Record Reporting）。
【０１８５】
以上のステップにより、無線端末ＵＥが異なる無線アクセス技術（RAT）間でセル再選択を行って移動する際にも、継続的な測定情報の取得が実現できる。これにより、異なるＲＡＴのセル間を無線端末が移動する地点或はその付近における電波環境を把握することができ、複数のＲＡＴのセルを考慮したカバレッジ最適化やモビリティ最適化などを実現することができる。
【０１８６】
以上に示した本発明の実施例では、基本的に、ネットワーク運用管理装置ＥＭ（Ｓ）やトレース情報収集装置ＴＣＥが無線アクセス技術ＲＡＴ間で共通であることを前提として説明を行った。しかし、本発明は、ＥＭ（Ｓ）やＴＣＥがＲＡＴ毎に異なる場合でも適用できる。例えば、ＥＭ（Ｓ）がＲＡＴ毎に異なる場合、ＥＭ（Ｓ）は第１のＲＡＴにおける測定情報の取得（Ｌｏｇｇｅｄ ＭＤＴ）に関する第１の設定情報を通知すると共に、第２のＲＡＴにおける測定情報の取得（Ｌｏｇｇｅｄ  ＭＤＴ）の要求を通知する方法を用いることができる。一方、ＴＣＥがＲＡＴ毎に異なる場合、例えば、ＥＭ（Ｓ）がトレース関連情報で指定するＴＣＥの情報（TCE IP AddressやTCE ID）を第１のＲＡＴのみを指定し、第２のＲＡＴの無線局（例えば、無線基地局ｅＮＢや基地局制御局ＲＮＣ／基地局ＮＢ）における無線端末ＵＥからの測定情報の収集時にも第１のＲＡＴのＴＣＥの情報を基にＴＣＥを特定し、報告する方法を用いることができる。また、第２のＲＡＴの無線局がもし第１のＲＡＴのＴＣＥの情報からＴＣＥを特定できない場合には、当該測定情報の収集は行わない、或は、収集しても破棄するなどの処理も考えられる。さらに、第２のＲＡＴの無線局が、上位ネットワーク装置、例えばＥＭ（Ｓ）やＥＰＣ／ＣＮにＴＣＥについて、或は、当該異種ＲＡＴの測定情報の収集の要否自体を問い合わせる処理も考えられる。
【０１８７】
これまで述べた実施形態では、無線通信システムとして３ＧＰＰ  ＬＴＥとＵＭＴＳを想定して説明したが、本発明の対象はそれらに限定されることはなく、ＧＳＭ（Ｇｌｏｂａｌ  Ｓｙｓｔｅｍ  ｆｏｒ  Ｍｏｂｉｌｅ  ｃｏｍｍｕｎｉｃａｔｉｏｎｓ）、ＷｉＭＡＸ（Ｗｏｒｌｄｗｉｄｅ  ｉｎｔｅｒｏｐｅｒａｂｉｌｉｔｙ  ｆｏｒ  Ｍｉｃｒｏｗａｖｅ  Ａｃｃｅｓｓ）などにも適用可能である。
【０１８８】
以上で本発明の実施の形態及び実施例の説明を終わるが、上述した説明からも明らかなように、各部をハードウェアで構成してもよいし、コンピュータプログラムにより実現してもよい。この場合、プログラムメモリに格納されているプログラムで動作するプロセッサによって、上述した各実施の形態又は実施例と同様の機能、動作を実現させる。また、上述した実施の形態又は実施例の一部の機能のみをコンピュータプログラムにより実現してもよい。
【０１８９】
また、上記の実施形態の一部又は全部は、以下の付記のようにも記載されうるが、以下には限られない。
【０１９０】
（付記１）  無線端末が、ネットワークが指定する測定情報を、アイドル状態の間に取得し、アクティブ状態の間に当該取得した測定情報を報告する無線通信システムであって、
第１の無線アクセス技術の第１のセルを運用する無線局は、第１のセルにおいて、
前記無線端末に、前記第１のセルにおける前記測定情報の取得に関する第１の設定情報を通知する通知手段と、
前記第１の無線アクセス技術とは異なる第２の無線アクセス技術の第２のセルに移動後に前記第２のセルにおける前記測定情報の取得を行うように、前記無線端末に要求する要求手段と、
を有する無線通信システム。
【０１９１】
（付記２）  前記無線端末が、アイドル状態で前記第１のセルから前記第２のセルにセル再選択を行った後、
前記測定情報の取得を自律的に行う付記１に記載の無線通信システム。
【０１９２】
（付記３）  前記無線端末が、第２のセルが前記測定情報の取得の対象エリアであるか否かを判定し、
対象エリアである場合に、前記測定情報の取得を行う付記１又は付記２の無線通信システム。
【０１９３】
（付記４）  前記ネットワークが、前記無線局、前記無線局を管理するネットワーク装置、ネットワーク運用管理装置の１つ以上から構成される付記１から付記３のいずれかに記載の無線通信システム。
【０１９４】
（付記５）  無線端末が、ネットワークが指定する測定情報を、アイドル状態の間に取得し、アクティブ状態の間に当該取得した測定情報を報告する無線通信システムにおける無線局であって、
第１の無線アクセス技術の第１のセルを運用する第１の無線局が、
前記第１のセルに滞在中の前記無線端末に、前記第１のセルにおける前記測定情報の取得に関する第１の設定情報を通知する通知手段と、
前記第１の無線アクセス技術とは異なる第２の無線アクセス技術の第２のセルに移動後に前記第２のセルにおける前記測定情報の取得を行うように、前記第１のセルに滞在中の前記無線端末に要求する要求手段と
を有し、
前記第２のセルを運用する第２の無線局が、
前記第２のセルにおいて、前記無線端末から、前記第１のセルにおいて取得した第１の測定情報を保有していることの報告を受信する受信手段と、
前記無線端末に、前記第１の測定情報を報告させる収集手段と、
を有する無線局。
【０１９５】
（付記６）  前記第２の無線局が、前記第１の測定情報を保有していることの報告を受信した場合、
上位のネットワーク装置、又は、ネットワーク運用管理装置へ、前記第１の測定情報を収集するか否かを問い合わせ、
前記ネットワーク装置、又は、前記ネットワーク運用管理装置からの前記問い合わせに対する応答を受信し、前記応答を基に前記第１の測定情報を報告させるか否かを決定する
付記５に記載の無線局。
【０１９６】
（付記６）  無線端末に、アイドル状態の間に測定情報を取得させ、アクティブ状態の間に当該取得した測定情報を報告させるネットワーク装置であって、
前記無線端末が滞在する第１の無線アクセス技術の第１のセルを運用する無線局に、前記無線端末による前記第１のセルにおける前記測定情報の取得に関する第１の設定情報を通知する通知手段と、
前記無線端末に前記第１の無線アクセス技術とは異なる第２の無線アクセス技術の第２のセルに移動後に前記第２のセルにおける前記測定情報の取得を行わせるように、前記無線局に対して指示する指示手段と、
を有するネットワーク装置。
【０１９７】
（付記７）  ネットワーク運用管理装置から前記無線局に対する前記通知や前記指示の要求を受け、実行する付記６に記載のネットワーク装置。
【０１９８】
（付記８）  前記第２のセルに移動後に前記第２のセルにおける測定情報の取得を行わせる対象となる無線端末の選択を行う端末選択手段を有し、
前記選択した無線端末を配下に持つ前記無線局へ当該指示を行う付記６又は付記７に記載のネットワーク装置。
【０１９９】
（付記９）  前記端末選択手段において、
前記無線端末の位置情報の報告に関する同意情報を基に、前記無線端末の選択を行う付記８に記載のネットワーク装置。
【０２００】
以上、実施の形態及び実施例をあげて本発明を説明したが、本発明は必ずしも上記実施の形態及び実施例に限定されるものではなく、その技術的思想の範囲内において様々に変形し実施してもよい。また、各実施の形態又は実施例を適宜組み合わせて実施してもよい。
【０２０１】
本出願は、２０１１年９月３０日に出願された日本出願特願２０１１−２１８７０４号を基礎とする優先権を主張し、その開示の全てをここに取り込む。
【符号の説明】
【０２０２】
１        第１の無線局
２        第１のセル
３        第２の無線局
４        第２のセル
５        無線端末
１０      受信部
１１      復調部
１２      測定制御部
１３      信号生成部
１４      送信部
２０      受信部
２１      復調部
２２      測定部
２３      信号生成部
２４      送信部
【図１】
2013047833.tif 000003
【図２】
2013047833.tif 000004
【図３】
2013047833.tif 000005
【図４】
2013047833.tif 000006
【図５】
2013047833.tif 000007
【図６】
2013047833.tif 000008
【図７】
2013047833.tif 000009
【図８】
2013047833.tif 000010
【図９】
2013047833.tif 000011
【図１０】
2013047833.tif 000012
【図１１】
2013047833.tif 000013
【図１２】
2013047833.tif 000014
【図１３】
2013047833.tif 000015
【図１４】
2013047833.tif 000016
【図１５】
2013047833.tif 000017
【図１６】
2013047833.tif 000018
【手続補正書】
【提出日】平成26年6月13日(2014.6.13)
【手続補正１】
【補正対象書類名】特許請求の範囲
【補正対象項目名】全文
【補正方法】変更
【補正の内容】
【特許請求の範囲】
【請求項１】
無線端末が、ネットワークが指定する測定情報を、アイドル状態の間に取得し、アクティブ状態の間に当該取得した測定情報を報告する無線通信システムであって、
第１の無線アクセス技術の第１のセルを運用する無線局は、第１のセルにおいて、
前記無線端末に、前記第１のセルにおける前記測定情報の取得に関する第１の設定情報を通知する通知手段と、
前記第１の無線アクセス技術とは異なる第２の無線アクセス技術の第２のセルに移動後に前記第２のセルにおける前記測定情報の取得を行うように、前記無線端末に要求する要求手段と、
を有する無線通信システム。
【請求項２】
前記無線端末が、前記第１のセルから前記第２のセルに移動後、当該第２のセルにおいて前記測定情報の取得を行う
請求項１に記載の無線通信システム。
【請求項３】
前記無線端末が、
前記第１のセル及び前記第２のセルのそれぞれにおける前記測定情報の取得対象となる第１の測定項目及び第２の測定項目の情報を予め保有し、
前記第１のセルから第２のセルへ移動後に、前記第１の測定項目から前記第２の測定項目へと取得の対象を切り替える請求項２に記載の無線通信システム。
【請求項４】
前記無線端末が、
前記第２のセルに移動後、前記第１の設定情報の少なくとも一部を再利用し、前記第２のセルにおける第２の測定情報の取得を行う
請求項２又は請求項３に記載の無線通信システム。
【請求項５】
前記第１の設定情報が、
前記測定情報の記録開始の基準となる絶対時刻、
前記測定情報の記録期間、
前記測定情報の記録周期、
前記測定情報の記録対象エリア、
トレース関連情報、
の少なくともいずれかを含む請求項１から請求項４のいずれかに記載の無線通信システム。
【請求項６】
前記無線端末が、
前記絶対時刻、前記記録期間、前記記録周期、前記トレース関連情報、の少なくともいずれかを引き継ぐ
請求項５に記載の無線通信システム。
【請求項７】
前記無線端末が、
前記記録期間、前記記録周期、の少なくとも一方をタイマで計測し、
前記記録期間を計測するタイマ値、前記記録周期を計測するタイマ値、の少なくとも一方を継続する、
請求項６に記載の無線通信システム。
【請求項８】
前記無線局が、前記無線端末に、前記第２のセルにおける前記測定情報の取得に関する第２の設定情報を通知し、
前記無線端末が、前記第２のセルにおいて前記第２の設定情報を基に前記測定情報を取得する
請求項１から請求項７のいずれかに記載の無線通信システム。
【請求項９】
前記無線端末が、前記第１のセルにおいて取得した第１の測定情報と、前記第２のセルにおいて取得した第２の測定情報とを区別する
請求項１から請求項８のいずれかに記載の無線通信システム。
【請求項１０】
前記無線端末が、前記第１の測定情報または前記第２の測定情報の報告時に、測定情報を取得したセルに対応する無線アクセス技術を示す情報を付加する
ことを特徴とする請求項９に記載の無線通信システム。
【請求項１１】
前記無線端末が、前記第２の測定情報の取得開始時に前記第２の無線アクセス技術を示す情報を付加することを特徴とする請求項９又は請求項１０に記載の無線通信システム。
【請求項１２】
前記無線端末が、前記第２のセルから前記第１のセルに移動後に、前記第１の測定情報の取得を行う
請求項１から請求項１１のいずれかに記載の無線通信システム。
【請求項１３】
ネットワークが指定する測定情報を、アイドル状態の間に取得し、アクティブ状態の間に当該取得した測定情報を報告する無線端末であって、
第１の無線アクセス技術の第１のセルを運用する無線局から、前記第１のセルにおける前記測定情報の取得に関する第１の設定情報を受信し、
前記無線局から、前記第１の無線アクセス技術とは異なる第２の無線アクセス技術の第２のセルに移動後に前記測定情報の取得を行う要求を受ける手段と、
前記要求に基づいて、前記測定情報を取得する測定情報取得手段と
を有する無線端末。
【請求項１４】
前記測定情報取得手段は、前記第１のセルから前記第２のセルに移動後、当該第２のセルにおいて前記測定情報の取得を行う
請求項１３に記載の無線端末。
【請求項１５】
前記測定情報取得手段は、
前記第１のセル及び前記第２のセルのそれぞれにおける前記測定情報の取得対象となる第１の測定項目及び第２の測定項目の情報を予め保有し、
前記第１のセルから第２のセルへ移動後に、前記第１の測定項目から前記第２の測定項目へと取得の対象を切り替える
請求項１４に記載の無線端末。
【請求項１６】
前記測定情報取得手段は、
前記第２のセルに移動後、前記第１の設定情報の少なくとも一部を再利用し、前記第２のセルにおける第２の測定情報の取得を行う
請求項１４又は請求項１５に記載の無線端末。
【請求項１７】
前記第１の設定情報が、
前記測定情報の記録開始の基準となる絶対時刻、
前記測定情報の記録期間、
前記測定情報の記録周期、
前記測定情報の記録対象エリア、
トレース関連情報、
の少なくともいずれかを含む
請求項１３から請求項１６のいずれかに記載の無線端末。
【請求項１８】
前記測定情報取得手段は、
前記絶対時刻、前記記録期間、前記記録周期、前記トレース関連情報、の少なくともいずれかを引き継ぐ
請求項１７に記載の無線端末。
【請求項１９】
前記測定情報取得手段は、
前記記録期間、前記記録周期、の少なくとも一方をタイマで計測し、
前記記録期間を計測するタイマ値、前記記録周期を計測するタイマ値、の少なくとも一方を継続する、
請求項１８に記載の無線端末。
【請求項２０】
前記測定情報取得手段は、
前記無線局から通知された、前記第２のセルにおける前記測定情報の取得に関する第２の設定情報に基づいて、前記第２のセルにおいて前記測定情報を取得する
請求項１３から請求項１９のいずれかに記載の無線端末。
【請求項２１】
前記測定情報取得手段は、
前記第１のセルにおいて取得した第１の測定情報と、前記第２のセルにおいて取得した第２の測定情報とを区別する
請求項１３から請求項２０のいずれかに記載の無線端末。
【請求項２２】
前記測定情報取得手段は、
前記第１の測定情報または前記第２の測定情報の報告時に、取得した測定情報に対応する無線アクセス技術を示す情報を付加する
ことを特徴とする請求項２１に記載の無線端末。
【請求項２３】
前記測定情報取得手段は、
前記第２の測定情報の取得開始時に前記第２の無線アクセス技術を示す情報を付加することを特徴とする請求項２１又は請求項２２に記載の無線端末。
【請求項２４】
前記測定情報取得手段は、
前記第２のセルから前記第１のセルに移動後に、前記第１の測定情報の取得を行う
請求項１３から請求項２３に記載の無線端末。
【請求項２５】
無線端末が、ネットワークが指定する測定情報を、アイドル状態の間に取得し、アクティブ状態の間に当該取得した測定情報を報告する無線通信システムにおける無線局であって、
前記無線局は、第１の無線アクセス技術の第１のセルを運用する無線局であり、
前記第１のセルに滞在中の前記無線端末に、前記第１のセルにおける前記測定情報の取得に関する第１の設定情報を通知する通知手段と、
前記第１の無線アクセス技術とは異なる第２の無線アクセス技術の第２のセルに移動後に前記第２のセルにおける前記測定情報の取得を行うように、前記第１のセルに滞在中の前記無線端末に要求する要求手段と
を有する無線局。
【請求項２６】
前記第１の設定情報が、
前記測定情報の記録開始の基準となる絶対時刻、
前記測定情報の記録期間、
前記測定情報の記録周期、
前記測定情報の記録対象エリア、
トレース関連情報、
の少なくともいずれかを含む
請求項２５に記載の無線局。
【請求項２７】
前記通知手段は、前記第２のセルにおける前記測定情報の取得に関する第２の設定情報を、前記無線端末に通知する
請求項２５又は請求項２６に記載の無線局。
【請求項２８】
無線端末に、アイドル状態の間に測定情報を取得させ、アクティブ状態の間に当該取得した測定情報を報告させるネットワーク装置であって、
前記無線端末が滞在する第１の無線アクセス技術の第１のセルを運用する無線局に、前記無線端末による前記第１のセルにおける前記測定情報の取得に関する第１の設定情報を通知する通知手段と、
前記無線端末に前記第１の無線アクセス技術とは異なる第２の無線アクセス技術の第２のセルに移動後に前記第２のセルにおける前記測定情報の取得を行わせるように、前記無線局に対して指示する指示手段と、
を有するネットワーク装置。
【請求項２９】
無線端末が、ネットワークが指定する測定情報を、アイドル状態の間に取得し、アクティブ状態の間に当該取得した測定情報を報告する情報収集方法であって、
第１の無線アクセス技術の第１のセルに滞在中の前記無線端末に、前記第１のセルにおける前記測定情報の取得に関する第１の設定情報を通知し、
前記第１の無線アクセス技術とは異なる第２の無線アクセス技術の第２のセルに移動後に前記第２のセルにおける前記測定情報の取得を行うように、前記第１のセルに滞在中の前記無線端末に要求する
情報収集方法。
【請求項３０】
無線端末が、ネットワークが指定する測定情報を、アイドル状態の間に取得し、アクティブ状態の間に当該取得した測定情報を報告する情報収集方法であって、
第１の無線アクセス技術の第１のセルを運用する無線局から、前記第１のセルにおける前記測定情報の取得に関する第１の設定情報を受信し、
前記無線局から、前記第１の無線アクセス技術とは異なる第２の無線アクセス技術の第２のセルに移動後に前記測定情報の取得を行う要求を受け、
前記要求に基づいて、前記測定情報を取得する
情報収集方法。
【手続補正２】
【補正対象書類名】明細書
【補正対象項目名】００８２
【補正方法】変更
【補正の内容】
【００８２】
また、複数ＲＡＴ間に共通のネットワーク装置として、ホーム加入者管理サーバ （Home Subscriber Server: HSS）もある。さらに、本発明が、第１のＲＡＴがＵＭＴＳで、第２のＲＡＴがＬＴＥの場合でも適用できることは言うまでもない。尚、以下の説明において、無線基地局ｅＮＢと、基地局制御局ＲＮＣ／基地局ＮＢを区別して説明するが、ある１つの無線局が、無線基地局ｅＮＢの機能と基地局制御局ＲＮＣ／基地局ＮＢの機能の両方を有していても良い。さらに、無線基地局ｅＮＢと基地局制御局ＲＮＣ／基地局ＮＢが、ある１つの無線局であっても良い。
【手続補正３】
【補正対象書類名】明細書
【補正対象項目名】０１９６
【補正方法】変更
【補正の内容】
【０１９６】
（付記７）  無線端末に、アイドル状態の間に測定情報を取得させ、アクティブ状態の間に当該取得した測定情報を報告させるネットワーク装置であって、
前記無線端末が滞在する第１の無線アクセス技術の第１のセルを運用する無線局に、前記無線端末による前記第１のセルにおける前記測定情報の取得に関する第１の設定情報を通知する通知手段と、
前記無線端末に前記第１の無線アクセス技術とは異なる第２の無線アクセス技術の第２のセルに移動後に前記第２のセルにおける前記測定情報の取得を行わせるように、前記無線局に対して指示する指示手段と、
を有するネットワーク装置。
【手続補正４】
【補正対象書類名】明細書
【補正対象項目名】０１９７
【補正方法】変更
【補正の内容】
【０１９７】
（付記８）  ネットワーク運用管理装置から前記無線局に対する前記通知や前記指示の要求を受け、実行する付記７に記載のネットワーク装置。
【手続補正５】
【補正対象書類名】明細書
【補正対象項目名】０１９８
【補正方法】変更
【補正の内容】
【０１９８】
（付記９）  前記第２のセルに移動後に前記第２のセルにおける測定情報の取得を行わせる対象となる無線端末の選択を行う端末選択手段を有し、
前記選択した無線端末を配下に持つ前記無線局へ当該指示を行う付記７又は付記８に記載のネットワーク装置。
【手続補正６】
【補正対象書類名】明細書
【補正対象項目名】０１９９
【補正方法】変更
【補正の内容】
【０１９９】
（付記１０）  前記端末選択手段において、
前記無線端末の位置情報の報告に関する同意情報を基に、前記無線端末の選択を行う付記９に記載のネットワーク装置。
【国際調査報告】
2013047833.tif 000019
2013047833.tif 000020